(57)【特許請求の範囲】
【請求項１】
遊技メダルの投入を条件として遊技可能とし、
投入により内部に貯留させた遊技メダルのキャンセル、又はその貯留前の移送途中における遊技メダルのキャンセルをして遊技者に払い出し可能なスロットマシンと、
前記スロットマシンに隣接して遊技メダルを貸し出すメダル貸出機とを備え、前記メダル貸出機から前記スロットマシンへ遊技メダルを一括投入可能な遊技メダルの一括投入システムであって、
前記スロットマシン及び前記メダル貸出機との間は、通信可能に形成され、
前記メダル貸出機は、前記スロットマシンへ一括して遊技メダルを投入可能な一括投入装置を備え、
前記一括投入装置は、
遊技メダルを予め貯留する貸出貯留部と、
遊技メダルを一括して投入可能な受け入れ投入部と、
前記受け入れ投入部から投入された遊技メダル及び前記貸出貯留部から移送された遊技メダルを一時的に貯留するメダル貯め部と、
前記メダル貯め部に貯留した遊技メダルをベルトの回転駆動により移送する移送部と、
前記移送部から遊技メダルを排出して、前記スロットマシンの内部へ投入するためのメダル排出口と、
前記移送部のベルトの回転駆動を開始させるベルト作動スイッチとを備え、
前記スロットマシンは、
遊技メダルを投入可能なメダル投入口と、
前記メダル投入口から投入された遊技メダルを予め前記スロットマシン内部に貯留し、貯留減算操作により、遊技開始の条件としての遊技メダルの投入に代えることが可能なクレジット貯留手段と、
前記クレジット貯留手段に貯留している遊技メダルを、返却操作により遊技者に払い出すための精算スイッチと、
前記精算スイッチが操作されたときには、前記メダル貸出機の前記メダル貯め部の遊技メダルを遊技者に払い出すための貸出精算信号を前記メダル貸出機へ出力する貸出精算信号制御手段とを備え、
前記スロットマシンは、前記精算スイッチが操作されたときには、前記クレジット貯留手段に貯留している遊技メダルを遊技者に払い出し、
前記メダル貸出機は、前記貸出精算信号が入力されたときには、前記ベルトを駆動させて、前記メダル貯め部の遊技メダルを、前記移送部を介して、前記メダル投入口へ投入し、
前記スロットマシンは、かかるメダル投入口から投入された遊技メダルのキャンセルをして、遊技者に払い出すようにしたことを特徴とする遊技メダルの一括投入システム。
【請求項２】
前記スロットマシンは、前記メダル投入口から投入される遊技メダルを前記クレジット貯留手段へ入れることなく、下皿へ払い出すことができるブロッカーにより遊技メダル移送中のキャンセルが可能なメダルセレクターを備え、
前記スロットマシンによる前記クレジット貯留手段に貯留している遊技メダルの払い出しとともに、前記メダル貸出機は、前記ベルトを駆動させて、前記メダル貯め部の遊技メダルを、前記移送部を介して、前記メダル投入口へ投入し、
前記スロットマシンは、かかるメダル投入口から投入された遊技メダルを、前記メダルセレクターの前記ブロッカーによる遊技メダル移送中のキャンセルによって遊技者に払い出すことを特徴とする請求項１記載の遊技メダルの一括投入システム。
【請求項３】
前記スロットマシンは、前記メダル投入口から投入される遊技メダルを前記クレジット貯留手段へ入れることなく、下皿へ払い出すことができるブロッカーにより遊技メダル移送中のキャンセルが可能なメダルセレクターを備え、
前記スロットマシンによる前記クレジット貯留手段に貯留している遊技メダルの払い出しの終了後に、前記メダル貸出機は、前記ベルトを駆動させて、前記メダル貯め部の遊技メダルを、前記移送部を介して、前記メダル投入口へ投入し、
前記スロットマシンは、かかるメダル投入口から投入された遊技メダルを、前記メダルセレクターの前記ブロッカーによる遊技メダル移送中のキャンセルによって遊技者に払い出すことを特徴とする請求項１記載の遊技メダルの一括投入システム。
【発明の詳細な説明】
【技術分野】
【０００１】
この発明は、スロットマシンなどのメダル遊技機に、遊技メダルを一括投入するために用いられるメダル貸出機を備えた遊技メダルの一括投入システムに関するものである。
【背景技術】
【０００２】
従来より、スロットマシンなどのメダルを遊技媒体とする遊技機において、効率の良い遊技を行いたいという要請、あるいは、なるべく遊技メダルに手を触れないで遊技を行いたいという要請に基づき、遊技メダルを直接、遊技機に供給可能な遊技機用台間機（メダル貸出機）が検討されている（特許文献１参照。）。これには、遊技メダルを案内するメダル通路を有するノズルが形成されている。
また、遊技メダルを一括投入可能な投入口、及び一括投入された遊技メダルを一枚ずつ分離してメダルセレクターに搬送可能なメダル投入装置を有する遊技機（スロットマシン）も検討されている（特許文献２参照。）。このメダル投入装置は、一対のローラーに掛け渡したベルトに遊技メダルを一括投入口から落下させ、ベルト上面に乗っている遊技メダルを逆転ローラーで１枚ずつに分離して送り出すものである。
【０００３】
そして、一括投入機構を備えたメダル貸出機からスロットマシンのメダル投入口へ一括して遊技メダルの投入が可能な遊技メダルの一括投入システムが検討されている（特許文献３。）。
一方、従来のスロットマシンには、メダル投入口から投入された遊技メダルを、纏めて最大５０枚程度、一旦、内部にクレジットメダルとして貯留（クレジット）し、１回の遊技毎に、ベットスイッチを押下して、１回の遊技に使用する遊技メダル（例えば３枚の遊技メダル）を、予めクレジットしたクレジットメダルのうちから、遊技開始の条件として内部投入される遊技メダルに代えることが可能なクレジット貯留手段を備えているものがある。そして、遊技者が、クレジット貯留手段にまだクレジットメダルが残っている状態で遊技ホールでの遊技を中止したい場合、従来のスロットマシンは、スロットマシン内部に貯留しているクレジットメダルを下皿へ払い出して精算することができる精算スイッチを備えている。この精算スイッチを遊技者が操作することにより、残っているクレジットメダルを下皿へ払い出して精算することができるものである。
【特許文献１】特開２００３−２９９８６８号公報（図１）
【特許文献２】特開２００４−１２１８０９号公報（図６）
【特許文献３】特開２００６−０００３６８号公報
【発明の開示】
【発明が解決しようとする課題】
【０００４】
上記した従来技術に係る遊技メダルの一括投入システムでは、スロットマシン内部に残っている遊技メダルは、精算スイッチによって精算することができても、一括投入装置の内部に残っている遊技メダルは、クレジット数の表示等で目視できないため、一括投入装置内部に投入された遊技メダルが残った状態で遊技が終了されてしまうといった問題点があった。
そこで、請求項に記載された発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、精算スイッチの操作により、スロットマシン内部に残っている遊技メダルを払い出して精算するとともに、メダル貸出機の一括投入装置の内部に残っている遊技メダルも、遊技者に払い出して精算することができるとともに、払い出しをスロットマシン側で行うことにより、メダル貸出機側の精算により払い出される遊技メダルの取り忘れを回避することができるようにした遊技メダルの一括投入システムを提供しようとするものである。
【０００５】
（請求項２）  請求項２記載の発明は、上記した請求項１記載の発明の目的に加え、次の点を目的とする。すなわち、請求項２記載の発明は、スロットマシン及びメダル貸出機の精算処理を同時に行うことにより、精算処理の時間を短縮することができるようにした遊技メダルの一括投入システムを提供しようとするものである。
【０００６】
更に、請求項２記載の発明は、メダル貯め部の遊技メダルを一旦、スロットマシン内に貯留させずに払い出すので、間違った数の遊技メダルを返却することが無く、処理的に簡略することができるようにした遊技メダルの一括投入システムを提供しようとするものである。
（請求項３）  請求項３記載の発明は、上記した請求項１記載の発明の目的に加え、次の点を目的とする。すなわち、請求項３記載の発明は、メダル貸出機の払い出し精算処理のタイミングをずらすことにより、払い出された遊技メダルが忘れられることを回避するようにした遊技メダルの一括投入システムを提供しようとするものである。
【０００７】
更に、請求項３記載の発明は、メダル貸出機の精算処理のタイミングをずらすことにより、スロットマシン内の貯留メダルの払い出しとの合流によって詰まってしまうことを防止することができるようにした遊技メダルの一括投入システムを提供しようとするものである。
更に、請求項３記載の発明は、メダル貯め部の遊技メダルを一旦、スロットマシン内に貯留させずに払い出すので、間違った数の遊技メダルを返却することが無く、処理的に簡略することができるようにした遊技メダルの一括投入システムを提供しようとするものである。
【課題を解決するための手段】
【０００８】
（請求項１）
（特徴点）  請求項１記載の発明は、次の点を特徴とする。すなわち、遊技メダルの投入を条件として遊技可能とし、投入により内部に貯留させた遊技メダルのキャンセル、又はその貯留前の移送途中における遊技メダルのキャンセルをして遊技者に払い出し可能なスロットマシン(1)と、前記スロットマシン(1)に隣接して遊技メダルを貸し出すメダル貸出機(2)とを備え、前記メダル貸出機(2)から前記スロットマシン(1)へ遊技メダルを一括投入可能な遊技メダルの一括投入システム(7)であって、前記スロットマシン(1)及び前記メダル貸出機(2)との間は、通信可能に形成され、前記メダル貸出機(2)は、前記スロットマシン(1)へ一括して遊技メダルを投入可能な一括投入装置(3)を備え、前記一括投入装置(3)は、遊技メダルを予め貯留する貸出貯留部(25)と、遊技メダルを一括して投入可能な受け入れ投入部(48)と、前記受け入れ投入部(48)から投入された遊技メダル及び前記貸出貯留部(25)から移送された遊技メダルを一時的に貯留するメダル貯め部(44)と、前記メダル貯め部(44)に貯留した遊技メダルをベルト(53)の回転駆動により移送する移送部(200)と、前記移送部(200)から遊技メダルを排出して、前記スロットマシン(1)の内部へ投入するためのメダル排出口(66)と、前記移送部(200)のベルト(53)の回転駆動を開始させるベルト作動スイッチ(273)とを備え、前記スロットマシン(1)は、遊技メダルを投入可能なメダル投入口(10)と、前記メダル投入口(10)から投入された遊技メダルを予め前記スロットマシン(1)内部に貯留し、貯留減算操作（ベットスイッチ8の入力操作）により、遊技開始の条件としての遊技メダルの投入に代えることが可能なクレジット貯留手段(420)と、前記クレジット貯留手段(420)に貯留している遊技メダルを、返却操作により遊技者に払い出すための精算スイッチ(400)と、前記精算スイッチ(400)が操作されたときには、前記メダル貸出機(2)の前記メダル貯め部(44)の遊技メダルを遊技者に払い出すための貸出精算信号を前記メダル貸出機(2)へ出力する貸出精算信号制御手段(510)とを備え、前記スロットマシン(1)は、前記精算スイッチ(400)が操作されたときには、前記クレジット貯留手段(420)に貯留している遊技メダルを遊技者に払い出し、前記メダル貸出機(2)は、前記貸出精算信号が入力されたときには、前記ベルト(53)を駆動させて、前記メダル貯め部(44)の遊技メダルを、前記移送部(200)を介して、前記メダル投入口(10)へ投入し、前記スロットマシン(1)は、かかるメダル投入口(10)から投入された遊技メダルのキャンセルをして、遊技者に払い出すようにしたことを特徴とする。
【０００９】
なお、ここで、「スロットマシン」とあるのは、具体的には、回転リールと、この回転リールの回転を停止させるためのストップスイッチとを備えているようなものを含む。そして、回転リールとは、周囲に複数の図柄を表示したものが、実際に回転するようなものや、液晶画面に回転リールが表示されるようなものを含む。
また、ここで、「遊技メダル」とあるが、円板状のメダルに限定されるものではなく、通常のコインでもよく、また、球状のボール球でもよく、また、スティック状のものでもよいものである。更に、遊技者に何らかの価値を付与するものであれば、特に特定の形状等のものに限定されるものではない。
【００１０】
また、ここで、スロットマシン(1)は、遊技メダルを貯留するメダルタンク(5)と、このメダルタンクへ遊技メダルを投入するためのメダル投入口(10)と、メダル貸出機(2)の前記メダル排出口(66)から排出された遊技メダルを前記メダル投入口へ案内する側方移送通路(12)とを備えているようなものを含む。
また、ここで、貸出精算信号に基づくベルト(53)の駆動は、メダル貯め部(44)に残っている遊技メダルが無くなりしだい停止させるようなものを含む。
（作用）  貸出精算信号制御手段(510)は、精算スイッチ(400)が操作されたときには、貸出精算信号をメダル貸出機(2)へ出力する。そして、メダル貸出機(2)は、貸出精算信号制御手段(510)からの貸出精算信号を入力すると、ベルト(53)を駆動させて、メダル貯め部(44)の遊技メダルを遊技者に払い出す。これにより、遊技者が精算スイッチ(400)を操作して、遊技を中止する際、スロットマシン(1)内部に残っている遊技メダルを払い出して精算するとともに、メダル貸出機(2)の一括投入装置(3)のメダル貯め部(44)の内部に残っている遊技メダルも、遊技者に払い出して精算することができる。結果として、一括投入装置(3)内部に投入された遊技メダルが残った状態で遊技が終了されてしまうことを回避することができる。
【００１１】
更に、本発明は、メダル貸出機(2)の一括投入装置(3)のメダル貯め部(44)に残留した遊技メダルを移送部(200)を介して、スロットマシン(1)のメダル投入口(10)へ投入して、そのメダル投入口(10)から投入された遊技メダルを、遊技者に払い出している。すなわち、スロットマシン(1)の精算スイッチ(400)を操作すると、スロットマシン(1)及びメダル貸出機(2)の内部に残留している全ての遊技メダルを、スロットマシン(1)へ払い出すことができる（具体的には、スロットマシン(1)の下部の下皿(15)へ払い出すことができる。）。これにより、払い出し先を一つに纏めることができ、遊技者は、メダル貸出機(2)側の払い出しに留意する必要がなく、確実に、全ての遊技メダルの精算を行うことができる。結果として、メダル貸出機(2)側の精算により払い出される遊技メダルを取り忘れてしまうようなことを回避することができる。
【００１２】
（請求項２）
（特徴点）  請求項２記載の発明は、上記した請求項１記載の発明の特徴点に加え、次の点を特徴とする。すなわち、前記スロットマシン(1)は、前記メダル投入口(10)から投入される遊技メダルを前記クレジット貯留手段(420)へ入れることなく、下皿(15)へ払い出すことができるブロッカーにより遊技メダル移送中のキャンセルが可能なメダルセレクター(6)を備え、前記スロットマシン(1)による前記クレジット貯留手段(420)に貯留している遊技メダルの払い出しとともに、前記メダル貸出機(2)は、前記ベルト(53)を駆動させて、前記メダル貯め部(44)の遊技メダルを、前記移送部(200)を介して、前記メダル投入口(10)へ投入し、前記スロットマシン(1)は、かかるメダル投入口(10)から投入された遊技メダルを、前記メダルセレクター(6)の前記ブロッカーによる遊技メダル移送中のキャンセルによって遊技者に払い出すことを特徴とする。
【００１３】
本発明は、後述する本発明に係る第４の形態に示すようなものを含む。
（作用）  本発明は、スロットマシン(1)のクレジット貯留手段(420)に貯留している遊技メダルの払い出し精算と同時に、一括投入装置(3)のメダル貯め部(44)内部に残っている遊技メダルの払い出し精算を行う。このように、スロットマシン(1)及びメダル貸出機(2)の両方同時に精算処理を行うことにより、精算をスロットマシン(1)及びメダル貸出機(2)の片方ずつ処理するようなものと比較して、精算処理の時間を短縮することができる。
【００１４】
更に、投入された遊技メダルは、遊技メダル移送中のキャンセルによって払い出すため、クレジット貯留手段(420)に貯留されている遊技メダルの払い出しルートと、投入された遊技メダルのキャンセルによる払い出しルートとの２つの異なる払い出しルートを使用することができるため、払い出し処理を同時並行に処理することができ、処理時間を短縮することができる。
更に、メダル貯め部(44)の遊技メダルを一旦、スロットマシン(1)内のクレジット貯留手段(420)に貯留させずに直接、遊技メダル移送中のキャンセルによって払い出すので、間違った数の遊技メダルを返却することが無く、処理的に簡略することができる。
【００１５】
（請求項３）
（特徴点）  請求項３記載の発明は、上記した請求項１記載の発明の特徴点に加え、次の点を特徴とする。すなわち、前記スロットマシン(1)は、前記メダル投入口(10)から投入される遊技メダルを前記クレジット貯留手段(420)へ入れることなく、下皿(15)へ払い出すことができるブロッカーにより遊技メダル移送中のキャンセルが可能なメダルセレクター(6)を備え、前記スロットマシン(1)による前記クレジット貯留手段(420)に貯留している遊技メダルの払い出しの終了後に、前記メダル貸出機(2)は、前記ベルト(53)を駆動させて、前記メダル貯め部(44)の遊技メダルを、前記移送部(200)を介して、前記メダル投入口(10)へ投入し、前記スロットマシン(1)は、かかるメダル投入口(10)から投入された遊技メダルを、前記メダルセレクター(6)の前記ブロッカーによる遊技メダル移送中のキャンセルによって遊技者に払い出すことを特徴とする。
本発明は、後述する本願発明に係る第２の形態に示すようなものを含む。
【００１６】
（作用）  本発明は、スロットマシン(1)のクレジット貯留手段(420)に貯留している遊技メダルの払い出しの終了後に、メダル貸出機(2)の払い出し精算処理を行う。これは、両方の払い出し処理を同時に行うのではなく、スロットマシン(1)の払い出しが終了したタイミングで貸出精算信号を出力し、メダル貸出機(2)の払い出し処理を行わせるようにすれば良いものである。払い出し処理が両方同時に行われている場合、払い出し音が両方から発生するため、遊技者によっては、スロットマシン(1)側の払い出し音に邪魔されて、メダル貸出機(2)側の払い出し音に気づかない者がでてくる可能性がある。本発明においては、スロットマシン(1)側の払い出しが終わって、次に、メダル貸出機(2)側の払い出しが開始されるため、遊技者は、払い出しがスロットマシン(1)からメダル貸出機(2)へ移行したことを確実に知ることができる。これにより、メダル貸出機(2)側の払い出しを確実に気づかせることができて、メダル貸出機(2)側の払い出しが忘れられることを回避することができる。
【００１７】
更に、メダル貸出機(2)の精算処理のタイミングを、スロットマシン(1)側の精算処理のタイミングとずらすことにより、スロットマシン(1)内に貯留した遊技メダルの払い出しとメダル貸出機(2)内に貯留した遊技メダルの払い出しとの合流によって詰まってしまうようなことを防止することができる。
更に、メダル貯め部(44)の遊技メダルを一旦、スロットマシン(1)内のクレジット貯留手段(420)に貯留させずに直接、遊技メダル移送中のキャンセルによって払い出すので、間違った数の遊技メダルを返却することが無く、処理的に簡略することができる。
【発明の効果】
【００１８】
本発明は、以上のように構成されているので、以下に記載されるような効果を奏する。
（請求項１）  請求項１記載の発明によれば、次のような効果を奏する。すなわち、請求項１記載の発明によれば、精算スイッチの操作により、スロットマシン内部に残っている遊技メダルを払い出して精算するとともに、メダル貸出機の一括投入装置の内部に残っている遊技メダルも、遊技者に払い出して精算することができるとともに、払い出しをスロットマシン側で行うことにより、メダル貸出機側の精算により払い出される遊技メダルの取り忘れを回避することができるようにした遊技メダルの一括投入システムを提供することができる。
【００１９】
（請求項２）  請求項２記載の発明によれば、上記した請求項１記載の発明の効果に加え、次のような効果を奏する。すなわち、請求項２記載の発明によれば、スロットマシン及びメダル貸出機の精算処理を同時に行うことにより、精算処理の時間を短縮することができるようにした遊技メダルの一括投入システムを提供することができる。
更に、請求項２記載の発明によれば、メダル貯め部の遊技メダルを一旦、スロットマシン内に貯留させずに払い出すので、間違った数の遊技メダルを返却することが無く、処理的に簡略することができるようにした遊技メダルの一括投入システムを提供することができる。
【００２０】
（請求項３）  請求項３記載の発明によれば、上記した請求項１記載の発明の効果に加え、次のような効果を奏する。すなわち、請求項３記載の発明によれば、メダル貸出機の払い出し精算処理のタイミングをずらすことにより、払い出された遊技メダルが忘れられることを回避するようにした遊技メダルの一括投入システムを提供することができる。
更に、請求項３記載の発明によれば、メダル貸出機の精算処理のタイミングをずらすことにより、スロットマシン内の貯留メダルの払い出しとの合流によって詰まってしまうことを防止することができるようにした遊技メダルの一括投入システムを提供することができる。
【００２１】
更に、請求項３記載の発明によれば、メダル貯め部の遊技メダルを一旦、スロットマシン内に貯留させずに払い出すので、間違った数の遊技メダルを返却することが無く、処理的に簡略することができるようにした遊技メダルの一括投入システムを提供することができる。
【発明を実施するための最良の形態】
【００２２】
（図面の説明）
（本発明の理解を助けるための参考発明の第１の形態）
図１乃至図１５は、本発明の理解を助けるための参考発明の第１の形態を示すものであって、図１は一括投入装置の縦断面図、図２はスロットマシン及びメダル貸出機を有する遊技メダルの一括投入システムの外観斜視図、図３は一括投入装置及びメダル投入口の拡大斜視図、図４はメダル送り装置の外観斜視図、図５はメダル送り装置の縦断面斜視図、図６はメダル送り装置のカバー部材を開いた状態の部分外観斜視図、図７はメダル送り装置のカバー部材を開いた状態の部分縦断面図、図８はメダル送り装置の開閉板を開いた状態の部分縦断面図、図９は通路部の外観正面図、図１０は受け入れ投入部の外観斜視図、図１１はメダル送り装置の閉塞手段を開いた状態の縦断面図、１２はメダル送り装置の閉塞手段を閉じた状態の縦断面図、図１３はスロットマシンの精算に関する制御のフロー、図１４はメダル貸出機の精算に関する制御のフロー、図１５は光通信の概略断面図をそれぞれ示す。
【００２３】
（遊技メダルの一括投入システム）
本形態における遊技メダルの一括投入システムは、遊技メダルの投入を条件として遊技可能なスロットマシン1と、スロットマシン1に隣接して遊技メダルを貸し出すメダル貸出機2とを備え、メダル貸出機2からスロットマシン1へ遊技メダルを一括投入可能なものである。
本形態におけるメダル貸出機2は、スロットマシン1に隣接して設置され、一台のスロットマシンに一機ずつ対応するように設けられている。
なお、ここで、「前面」や「前方向」や「手前方向」とは、作業者（或いは遊技者）が、遊技機S及びメダル貸出機2の正面側の前に遊技機S及びメダル貸出機2の方に顔を向けて座って、或いは、立っているような場合のかかる作業者（或いは遊技者）から見た場合の奥から手前への方向を意味する。したがって、前方向や手前方向とは、遊技機S及びメダル貸出機2の奥から正面へ向かう方向を意味する。
【００２４】
また、「背面」や「後方向」や「奥方向」とは、作業者（或いは遊技者）が、遊技機S及びメダル貸出機2の正面側に遊技機S及びメダル貸出機2の方を向いて位置しているような場合のかかる作業者（或いは遊技者）から見たときの手前から奥への方向を意味する。したがって、後方向とは、遊技機S及びメダル貸出機2の正面から奥（後ろ）へ向かう方向を意味する。また、本明細書における「左方向」や「右方向」等の左右方向も、かかる遊技機S及びメダル貸出機2の前面の方を向いて位置している者から見た場合の右方向や、左方向を意味する。
（スロットマシン1）
前記スロットマシン1は、図２に示すように、前面が開口する四角箱状の筐体及びその筐体の正面側に取り付けられた前扉13を有し、正面側には回転リール（図示せず）の図柄を視認可能な図柄表示窓14が形成されている。なお、前扉13は、特に図示していないが、上半分だけ開閉可能な上扉と、下半分だけ開閉可能な下扉とを備えているものである。また、この図柄表示窓14の下方でありスロットマシン1の略中央部は、スタートスイッチやストップスイッチなどの操作手段が設けられる操作部16となっている。そしてこの操作部16の正面右端部には、遊技メダルを投入するためのメダル投入口10が設けられている。なお、メダル投入口10の下方には、遊技メダルの真贋を判断すると共に投入メダルをカウントするためのメダルセレクター6が設けられている。そして、メダル投入口10から投入された遊技メダルは、メダルセレクター6を通過して、箱状のメダルタンク5に貯留される。また、スロットマシン1の下部には、払い出しメダルを貯留可能な下皿15が設けられている。そして、遊技に入賞して遊技メダルが払い出される場合には、このメダルタンク5内部に貯留されている遊技メダルが、下皿15へ払い出されるように形成されている。
【００２５】
ここで、メダル投入口10は、図３に示すように、上方から遊技メダルを１枚ずつ投入可能な上部投入開口11と、上部投入開口11の側方に凹溝状に連通する側方移送通路12とを有している。この側方移送通路12は、上部投入開口11から正面右側（メダル貸出機2側）に延設された樋状の通路であって、後述する投入口導入路60からメダル排出口66を介して送られてくる遊技メダルを受け入れ、上部投入開口11に移送するためのものである。
そして、メダル投入口10から遊技メダルを投入し、スタートスイッチの操作により回転リールを回転させ、ストップスイッチの操作により回転リールを停止させ、このとき、複数の回転リールに表示された図柄が所定の位置態様に停止すると入賞となり、所定枚数の遊技メダルが払い出されるように形成されているものである。
【００２６】
そして、スロットマシン1は、メダル投入口10から投入された遊技メダルを予めスロットマシン1内部に貯留し、操作により、遊技開始の条件としての遊技メダルの投入に代えることが可能なクレジット貯留手段420と、このクレジット貯留手段420に貯留している遊技メダルを、遊技者に払い出す精算スイッチ400と、この精算スイッチ400が操作されたときには、メダル貸出機2のメダル貯め部44の遊技メダルを遊技者に払い出すための貸出精算信号を出力する貸出精算信号制御手段510とを備えている。そして、本形態に係る一括投入システム7のメダル貸出機2は、貸出精算信号が入力されたときには、ベルト53を駆動させて、メダル貯め部44の遊技メダルを遊技者に払い出すことを特徴とするものである。なお、これらの手段は後で詳細に説明する。
【００２７】
（精算スイッチ400）  前記精算スイッチ400は、遊技者が当該スロットマシン1での遊技を終了したいときに、押下操作（返却操作）されることにより、スロットマシン1内部のクレジット貯留手段420にクレジットされているクレジットメダルと、メダル貸出機2内部に残っている遊技者の遊技メダルとを、下皿15等へ排出させるための押下スイッチである。具体的には、精算スイッチ400は、図２に示すように、スロットマシン1の操作部16の左側に位置する押下スイッチである。
（メダルタンク5）
前記メダルタンク5は、図２の点線で示すように、スロットマシン1の下部に位置して、メダル投入口10から投入された遊技メダルを内部に貯留するためのものである。そして、このメダルタンク5の下部には、図示していないが、周囲に、遊技メダルを挿入可能な円形の孔が空いた送り出し円板が配置されている。この送り出し円板が回転することにより、円形の孔に入り込んだ遊技メダルを、１枚ずつ、下皿15へ排出することができるように形成されている。
【００２８】
（メダルセレクター6）
前記メダルセレクター6は、メダル投入口10の下側のスロットマシン1内部に位置して、投入された遊技メダルを判別して、遊技開始の条件としての正規の遊技メダルをカウントするためのものである。このメダルセレクター6には、遊技メダルの通過を検知することができるセンサーが形成されている。また、このメダルセレクター6には、通過する遊技メダルを、後述するクレジット貯留手段420に案内せずに、直接、下皿15へ排出することが可能なブロッカーを有している。すなわち、ブロッカーが作動中には、投入された遊技メダルは、クレジット貯留手段420に入らずに、直接、下皿15へ排出されるように形成されている。
【００２９】
（クレジット貯留手段420）  前記クレジット貯留手段420は、メダル投入口10から投入された遊技メダルを予めた最大クレジット枚数の限度内までスロットマシン1内部に貯留し、貯留減算操作（ベットスイッチ8の入力操作）により、その一部を遊技開始の条件としての遊技メダルの投入に代えることが可能なものである。このクレジット貯留手段420は、クレジットすることができる最大の枚数である最大クレジット枚数を、５０枚に設定している。そして、クレジット貯留手段420は、遊技者がベットスイッチ8を操作することにより、クレジット枚数から３枚の遊技メダルを、遊技開始の条件としての遊技メダルとして内部投入するものである。そして、クレジット貯留手段420は、クレジット枚数から３枚を引いた枚数を、新たなクレジット枚数として記憶するものである。なお、クレジット貯留手段420において、メダル投入口10から投入された遊技メダルはメダルタンク5へ貯留し、その後の内部投入における実際の遊技メダル自体はメダルタンク5からは移動させずに、枚数データの処理のみで内部投入や精算払い出し等の処理が行われるように形成されている。
【００３０】
前記クレジット貯留手段420は、遊技者が当該スロットマシン1での遊技を終了したいときに、精算スイッチ400が押下されると、内部に貯留しているクレジットメダルを下皿15へ排出させるように形成されている。
（貸出精算信号制御手段510）  前記貸出精算信号制御手段510は、精算スイッチ400が遊技者により操作されたときには、メダル貸出機2のメダル貯め部44の遊技メダルを遊技者に払い出すための貸出精算信号を、光通信としての伝達手段56を介して出力するためのものである。
（メダル貸出機2）
前記メダル貸出機2は、スロットマシン1の側面側に隣接して設置される箱型の装置であって、金銭と引き替えに遊技メダルを貸し出すと共に、貸し出しメダル及び遊技者が投入する遊技メダルをスロットマシン1のメダル投入口10に投入するためのものである。
【００３１】
前記メダル貸出機2は、外箱20と、投入される紙幣を検知及び貯留する紙幣カウンター22と、遊技メダルを投入可能な貸出投入口4と、この貸出投入口4から投入された遊技メダルを貯留する貸出貯留部25と、この貸出貯留部25内部の遊技メダル及び後述する受け入れ投入部48に投入された遊技メダルをスロットマシン1へ一括して投入可能な一括投入装置3と、この一括投入装置3の後述する移送部200のベルト53の回転駆動等を制御する駆動制御手段280とを備えている。
前記貸出投入口4は、メダル貸出機2の前面側の上部に位置して、図２の実線で示すように、通常は所定の鍵（図示せず）がかかって閉じた状態になっているが、図２の点線で示すように、その鍵を開けると、その前面側が手前側に倒れて上方に向かって開口して遊技メダルを投入可能に形成されているものである。
【００３２】
前記貸出貯留部25は、貯留した遊技メダルを、紙幣カウンター22に投入された紙幣に応じて遊技メダルを貸し出すための貸し出しメダル払い出し装置23としての役割も有しているものである。
前記紙幣カウンター22は、外箱20の正面下方に設けられた紙幣投入口21から投入された紙幣を読み取って、貸し出しメダル払い出し装置23に所定枚数の遊技メダルを払い出させるためのものである。
前記紙幣カウンター22には、図２に示すように、紙幣投入口21に投入された紙幣を検知して、紙幣検知信号を出力する紙幣センサー24を備えている。そして、前記貸出貯留部25、具体的には、貸し出しメダル払い出し装置23は、紙幣センサー24からの紙幣検知信号の入力を契機として、遊技メダルを遊技者に貸し出すためのものである。
【００３３】
なお、メダル貸出機2としては、紙幣投入口21及び紙幣カウンター22の他に、硬貨投入口や硬貨カウンター、釣り銭払い出し口などを有していてもよい。また、プリペイドカード投入口とカードリーダーとを有していてもよい。
前記貸出貯留部25としての貸し出しメダル払い出し装置23は、紙幣センサー24からの紙幣検知信号の入力を契機として、遊技メダルを遊技者に貸し出すためのものである。この貸し出しメダル払い出し装置23は、遊技メダルを払い出すためのいわゆるホッパー装置であり、遊技メダルを貯留しておくための貸し出しメダルタンク26と、この貸し出しメダルタンク26に貯留されている遊技メダルを１枚ずつ排出可能な貸し出し円板27とを有している。この貸し出し円板27は、駆動モータに回転可能に軸止されており遊技メダルが入り込み可能な孔が形成されている。そして、この孔に入った遊技メダルを、回転に伴い１枚ずつ装置の外に排出することができるような機構に形成さている。また、貸し出しメダル払い出し装置23には排出メダルをカウントするためのセンサーが設けられていて、所定枚数の遊技メダルを払い出したら駆動モータが停止するように形成されている。
【００３４】
（一括投入装置3）
前記一括投入装置3は、前記貸出貯留部25から払い出される遊技メダル、及び遊技者が後述する受け入れ投入部48へ投入する遊技メダルを、スロットマシン1のメダル投入口10に一括投入するための機構である。
具体的には、一括投入装置3は、大きく分けて、メダル貸出機2の外箱20の正面に取り付けられた本体カバー30と、この本体カバー30の内部に設けられて遊技メダルを送り出すためのメダル送り装置40と、前記本体カバー30の正面側に取り付けられてメダル送り装置40から送り出された遊技メダルをスロットマシン1の側方移送通路12へ誘導するための投入口導入路60とを備えている。
【００３５】
前記一括投入装置3は、受け入れ投入部48を閉塞して遊技メダルの受け入れを拒絶する
閉塞手段300を備えている。
（本体カバー30）
前記本体カバー30は、図２、図３に示すように、メダル貸出機2の外箱20の正面略中央部から手前側（スロットマシン1を正面から見た場合の手前側）に突出する箱形部材であり、上方に開口する一括投入開口31が形成され、図１に示すように、内部にはメダル送り装置40が内蔵されている。
また、一括投入開口31の手前側には、図１及び図３に示すように、上面に平坦部を有するカウンター状の張り出し部32が形成されている。この張り出し部32は、一括投入開口31の手前側及び側方に向かって張り出し、上方からみると図１０に示すように略Ｕ字型に形成されている。そして、この一括投入開口31の周囲には、上から見て、両側部から手前に至るＵ字状に立設する立設部272が形成されている。一括投入開口31は、後述する本体ブロック41の受け入れ投入部48の落下孔271の上に位置するように設定されてあり、結果として、落下孔271の上方周囲に立設部272が位置するように形成されている。
【００３６】
そして、この一括投入装置3の張り出し部32の前面側には、長方形状であって、搬送装置50を作動及び作動停止させるための導電性を有する金属からなるベルト作動スイッチ273としての長方形状接触センサー275（図１０の点線部分）が敷設されている。そして、この張り出し部32の長方形状接触センサー275に手を触れることにより、搬送装置50の駆動モータ55が駆動し、張り出し部32の長方形状接触センサー275に触れている手を離すことにより、搬送装置50の駆動モータ55が駆動を停止するようになっている。具体的には、ベルト作動スイッチ273を予め定めた特定時間未満、操作すると、３枚の遊技メダルを側方移送通路12へ送り出すとともに、ベルト作動スイッチ273を予め定めた特定時間（１０秒）以上継続して操作すると、３枚を超える枚数の遊技メダルを側方移送通路12へ送り出すように形成されている。
【００３７】
なお、ベルト作動スイッチ273は、長方形状接触センサー275に限定されるものではなく、図１０に示すように、立設部272にＵ字状に設けたＵ字状接触センサー274でも良いものである。このＵ字状接触センサー274は、図１０の斜線部分に示すように、立設部272に沿ってＵ字状に形成されている。そして、張り出し部32のＵ字状接触センサー274に手を触れることにより、長方形状接触センサー275と同様に作動して、搬送装置50の駆動モータ55が駆動するものである。
なお、ベルト作動スイッチ273として、長方形状接触センサー275だけを使用しても良く、また、Ｕ字状接触センサー274だけを使用しても良く、また、長方形状接触センサー275及びＵ字状接触センサー274の両方を使用することができるように設定しても良い。
【００３８】
そして、本体カバー30の底部奥側には、図１及び図８に示すように、メダル送り装置40から排出される異物やキャンセルメダルを受け止める排出収納部93を有するメダル取り出し皿90が形成されている。このメダル取り出し皿90は、メダル貸出機2前面の開閉孔85の下に位置して、排出機構80の開閉孔85を開放した際には、開閉孔85を介して受け取ったメダル貯め部44の遊技メダルを、外部から取り出し可能に形成されている。このメダル取り出し皿90は、図１の点線で示すように、皿用ヒンジ95により本体カバー30の底部奥側に上下方向に回動可能に軸支されている。通常は、図１の点線で示すように閉じた状態にしており、排出される遊技メダルやゴミ等を貯留可能に形成され、遊技メダルやゴミ等を回収する際には、図１の実線で示すように、手前側に回転させて、手前側から手で簡単に貯留物を取り出すことができるように形成されている。
【００３９】
前記張り出し部32の正面側には、ベルト53の作動状態を表示する回転表示部240が形成されている。
（回転表示部240）
前記回転表示部240は、移送部200のベルト53の作動状態と、排出機構80の開閉孔85の開閉状態とを遊技者に向かって表示するためのものである。そして、回転表示部240は、正面から見て右側に位置して青色に発光可能な青色発光部241と、正面から見て左側に位置して赤色に発光可能な赤色発光部242とから形成されている。そして、前記回転表示部240は、図３に示すように、張り出し部32の正面側の遊技者から視認可能な位置に形成されている。この回転表示部240は、青色発光部241及び赤色発光部242の２個の発光体の点灯及び消灯の組み合わせによって、ベルト53及び後述する排出機構80の作動状態を表示するものである。具体的には、この回転表示部240は、移送部200のベルト53の正転（正回転、図１の黒矢印方向）と、逆転（逆回転、図１の黒矢印の逆回転方向）と、開閉孔85の開放を伴うベルト53の逆転（逆回転、図１の黒矢印の逆回転方向）と、作動せずとの４種類の状態を、順に、青色発光部241のみ点灯と、赤色発光部242のみ点灯と、両方点灯と、両方消灯とすることにより区別して外部へ向かって表示するためのものである。
【００４０】
（メダル送り装置40）
前記メダル送り装置40は、前記本体カバー30に内蔵された遊技メダルを送り出すための装置である。
前記メダル送り装置40は、図１に示すように、前記本体カバー30の内側に設けられる箱状の本体ブロック41と、この本体ブロック41の内部に遊技メダルを搬送する搬送装置50（移送部200）と、搬送装置50の奥側下方に位置して残留した遊技メダル等を排出する排出機構80とを備えている。
（本体ブロック41）
前記本体ブロック41は、長さ方向略中央部に、上方に開口する受け入れ投入部48を有している。この受け入れ投入部48は、四角形に開口して遊技メダルを落下させる落下孔271を設けているものである。この受け入れ投入部48の奥側には、上方に開口し内部において前記受け入れ投入部48と連通する払い出し通路42が設けられている。この払い出し通路42の上方に開口した部分に、貸出貯留部25からの遊技メダルが投入される。
【００４１】
そして、受け入れ投入部48の下方には、受け入れ投入部48或いは払い出し通路42から投入された遊技メダルを一時的に貯留するメダル貯め部44が形成されている。また、本体ブロック41の前方下部には、メダル貯め部44に貯留した遊技メダルを移送するベルト53を有する移送部200（搬送装置50）が内蔵されている。そして、本体ブロック41の正面側は、搬送装置50により送り出された遊技メダルを投入口導入路60に１枚ずつ排出するためのメダル排出部47となっている。そして、前記払い出し通路42を形成する内壁の底部であって、メダル貯め部44の底面に、開閉自在な開閉孔85を有する排出機構80が設けられている。
前記受け入れ投入部48は、図１等に示すように、一括投入開口31から投入される遊技メダルを受け入れるための開口であり、開口幅のほぼ中央部に、横方向にわたって設けられた仕切棒100を有している。これは、投入される遊技メダルを、極力同一方向に揃えるためである。すなわち、この仕切棒100があることにより、受け入れ投入部48に遊技メダルが縦向き（遊技メダルの表裏面が左右方向となる向き）で投入されることがないので、ランダムに投入される遊技メダルの向きを、横向き（遊技メダルの表裏面が前後方向となる向き）にして落下させるようになるものである。このように落下した場合には、遊技メダルの向きが揃っているので、受け入れ投入部48の下方に位置する空間であるメダル貯め部44に、遊技メダルが平積みとなるよう貯留させることができ、搬送装置50により搬送しやすくなる。
【００４２】
また、図１に示すように、受け入れ投入部48の手前側端部には、搬送装置50の上方空間を、受け入れ投入部48の下方に位置するメダル貯め部44と、メダル貯め部44よりも手前側に位置するメダル戻り部45とに分ける移動調整弁43が取り付けられている。移動調整弁43は、メダル貯め部44からメダル戻り部45へのメダル移動を阻止し、メダル戻り部45からメダル貯め部44へのメダル移動は適宜許容することにより、搬送装置50によるメダル移送をスムーズに行わせるためのものである。
前記払い出し通路42は、メダル貸出機2の貸出貯留部25からの遊技メダルを受け入れて、前記メダル貯め部44に誘導するためのものである。払い出し通路42の底面は、奥側から手前側に向かって下り傾斜となっており、傾斜の前端部に開閉板82によって開閉可能な開閉孔85が形成されている。開閉板82が開閉孔85を閉じているときには、メダル貯め部44に遊技メダルが貯留される。そして、開閉板82が開閉孔85から開いた場合、メダル貯め部44又は搬送装置50のベルト53上にあるゴミなどの異物や残留した遊技メダルは、キャンセル通路49から落下する。このキャンセル通路49から落下した異物や遊技メダルは、いったんメダル取り出し皿90に貯留され、図１に示すように、メダル取り出し皿90を手前側に開くことによりそれらを外部に取り出すことができるようになっている。
【００４３】
ここで、メダル取り出し皿90は、図１に示すように、皿用ヒンジ95により回動可能に一括投入装置3の下部に軸支されている。そして、図１の点線で示すように、メダル取り出し皿90を閉じた状態で、内部にキャンセルメダルや異物やゴミ等を貯留可能な排出収納部93が形成される。また、メダル取り出し皿90は、特に図示していないが、自己復帰機構により、開いた後には自動的に閉じるように形成されている。自己復帰機構は、メダル取り出し皿90を閉じる方向に付勢するバネを備えており、メダル取り出し皿90は通常において閉じている。そして、バネの付勢力に抗して開く方向すなわち手前側にメダル取り出し皿90を引き下げることにより、図１に示すように、メダル取り出し皿90の排出収納部93が開放される。メダル取り出し皿90を開くときには、メダル取り出し皿90を押さえながら排出収納部93に貯留されている遊技メダル等を手で受け止めるようにする。貯留物をすべて排出し終えたら、メダル取り出し皿90から手を離せば、メダル取り出し皿90は自動的に閉まる。もちろん、このメダル取り出し皿90は、かかる自己復帰機構を設けずに、閉じた状態と、開いた状態との２段階の位置で、凹凸部により仮止め可能なものでも良い。
【００４４】
更に、このメダル取り出し皿90は、上述したような自己復帰機構や、凹凸部による仮止め機構も有さずに、単に、皿用ヒンジ95によって開閉可能に軸支されているだけで、自重により、開いた状態を維持しているものでも良い。かかるメダル取り出し皿90は、手を押し上げることにより、図１の点線に示すように閉じた状態にすることができる。これにより、正面から向かって右隣の別の遊技機の下側の扉を開放する際、手でメダル取り出し皿90を閉じた状態にして、開放する下扉の邪魔になることを回避することができる。
（移動調整弁43）
前記移動調整弁43は、図５に示すように、両端部から横方向に突出するピン46を有する支持部43Bに方形状の回動板43Aを取り付けた構成となっている。そして、本体ブロック41の両側面に形成された孔に前記ピン46を係合させることにより、ピン46を中心に前後方向に回動可能に形成されている。
【００４５】
また、本体ブロック41の内面には、移動調整弁43が垂下した状態で移動調整弁43のメダル戻り部45側に当接するストッパー43Cが突設されている。これにより、移動調整弁43は、垂下状態からメダル貯め部44側へは回動できるが、垂下状態からメダル戻り部45側への回動を阻止される。
そして、前記回動板43Aは、ウレタンなどの弾性部材で形成されており、一定以上の加圧により弾性変形するようになっている。さらに、移動調整弁43は、回動板43Aが垂下状態で、回動板43Aの下端部から後述する搬送装置50のベルト53の上面までの距離が、遊技メダルの直径よりも長くなるように形成してある。これは、回動板43Aの下方を遊技メダルが起立状態でも通過可能とするためである。
【００４６】
（移送部200（搬送装置50））
前記移送部200（搬送装置50）は、本体ブロック41の前方下部に内蔵されており、メダル貯め部44に投入又は払い出された遊技メダルを、水平状態（遊技メダルの表裏面が上下となる状態、すなわち遊技メダルの表面又は裏面が、上方向又は下方向に向かって臨むような状態）で１枚ずつ、投入口導入路60を経由してメダル排出口66へと送り出すためのものである。具体的には、移送部200（搬送装置50）は、一対のローラー51（手前側ローラー51A及び奥側ローラー51B）と、この手前側ローラー51A及び奥側ローラー51Bの間に掛け渡されたベルト53（移送手段）と、このベルト53の手前側上方に送出間隙54をあけて設置された逆転ローラー52（戻し手段）と、ローラー51,52を回転させるための駆動モータ55と、この駆動モータ55のモータ軸の回転をローラー51,52に伝達するための伝達手段56（図４）とを有している。
【００４７】
前記ローラー51は、正面側から見て前後に並列して設けられている。また、前記ベルト53は、二つのローラー51A,51Bに掛け渡された平ベルトであり、表面にはゴム等を被覆して、遊技メダルとの摩擦抵抗を大きくするよう形成してある。そして、図１に示すように、手前側ローラー51Aの方が、奥側ローラー51Bよりも若干高い位置に取り付けられているので、ベルト53の上面は手前側に向かってやや上り傾斜となっており、ローラー51を図１に示す黒矢印（内部が黒色に塗られた矢印）の方向に回転させることにより、ベルト53の上面が手前側に移動するようになっている。
前記ローラー51と逆転ローラー52は、伝達手段56により同時に回転するようになっている。伝達手段56は、駆動モータ55の駆動軸、手前側ローラー51A、逆転ローラー52にそれぞれ設けられたギヤと、これらの各ギヤを連結するベルトであって、逆転ローラー52はローラー51と同一方向に回転するので、ベルト53の上面の進行方向と、逆転ローラー52の下側面の移動方向とが逆になる。また、前記伝達手段56の調整（直径の異なるギヤの組み合わせ）により、逆転ローラー52の回転速度の方が、ローラー51の回転速度よりも早くなるように形成されている。
【００４８】
そして、図１に示すように、逆転ローラー52の下端とベルト53の上面との間には、遊技メダル１枚の厚みよりも大きく、遊技メダル２枚分の厚みよりは小さい送出間隙54が形成されている。このため、遊技メダルが逆転ローラー52の上に複数枚、重なって逆転ローラー52側へ搬送されてくると、一番下の１枚の遊技メダルを残して、２枚目より上の遊技メダルは、逆転する逆転ローラー52によって後方に向かって蹴飛ばされるものである。これにより、ベルト53の上面に乗っている遊技メダルを、１枚ずつ手前側に送り出すとともに、ベルト53の上方であって逆転ローラー52の後方にある遊技メダルをメダル戻り部45に蹴り出すようになっている。
【００４９】
なお、本形態における逆転ローラー52には、図５に示すように、断面略台形の撹拌溝58が軸方向に沿って形成されている。撹拌溝58は、溝の端部で遊技メダルを引っ掛けるようにして、ベルト53の上方に積み重なった遊技メダルを効果的に後方に蹴り上げる役割を果たすものである。
ベルト53の前方側は、投入口導入路60のメダル受け口67と近接している。そして、ベルト53の上面に乗っている遊技メダルは、前記送出間隙54を潜ってメダル排出部47から投入口導入路60へと運ばれる。
なお、特に図示していないが、ベルト53から投入口導入路60へ送り出す途中で、逆転ローラー52の取り付け位置を過ぎた後、ベルト53の側方の壁面からベルト53上に向かって突出する突出体を形成しても良い。この突出体は、ベルト53の搬送可能な有効巾を、使用する遊技メダルの直径に合致するように突出させるものである。ベルト53上の遊技メダルが、この突出体に接触することにより、遊技メダルの搬送位置を、所定の位置にすることができる。
【００５０】
前記移送部200は、ベルト53を正転（正回転、すなわち図１の黒矢印方向）することにより、遊技メダルを投入口導入路60へ移送させる移送方向と、ベルト53を逆転（逆回転、すなわち図１の黒矢印方向の逆回転方向）することにより、遊技メダルを投入口導入路60とは反対側のメダル貯め部44へ逆送させる逆送方向とのいずれの方向にも遊技メダルを移送可能に形成されている。すなわち、移送部200は、ベルト53を正転させた場合、ベルト53上のものを投入口導入路60へ移送し、ベルト53を逆転させた場合、ベルト53上のものを開閉孔85へ移送するように形成されている。
なお、移送部200のベルト53を逆回転する場合には、逆転ローラー52は、内部機構により回転しないように形成されている。
【００５１】
（排出機構80）
前記排出機構80は、上方に突設された略円筒形の可動軸83を通電状態に応じて上下動させるソレノイド81と、一方の端部が前記可動軸83に軸支され、本体ブロック41に固定された固定軸84を支点として上下方向に揺動可能に形成された開閉板82を有している。この開閉孔85は、メダル貯め部44及びキャンセル通路49の間に位置して、キャンセル通路49の開閉が可能なものである。そして、この開閉板82が固定軸84を中心に回動することにより、開閉孔85を開閉自在に形成するものである。
そして、可動軸83が下方に位置しているときには開閉板82が閉じた状態（図１参照）となり、可動軸83が上方に位置しているときには開閉板82が開いた状態（図８参照）となるよう形成されているものである。そして、ソレノイド81の作動で開閉板82を開くことにより、メダル送り装置40内部にあるメダルや異物などを、本体ブロック41の底面に形成されたキャンセル通路49から排出させることができるようになっている。排出機構80は、例えば図示しないリセットスイッチの操作により開閉板82が開くように形成することができる。
【００５２】
（投入口導入路60）
前記投入口導入路60は、スロットマシン1のメダル投入口10に遊技メダルを導入するために、スロットマシン1のメダル投入口10付近に設けて、スロットマシン1の側方から遊技メダルを前記メダル投入口10へ案内する側方移送通路12に、移送部200から遊技メダルを誘導させるためのものである。すなわち、前記投入口導入路60は、前記移送部200（搬送装置50）から送り出された遊技メダルをスロットマシン1のメダル投入口10に移送するためのものである。
前記投入口導入路60は、本体カバー30の正面側下部に取り付けられるベース部材62と、このベース部材62の前面側に位置して遊技メダルが通過可能なメダル移送スリットを有する通路部65と、ベース部材62の下端部に設けられたヒンジ63を介して、ベース部材62に回動自在に取り付けられたカバー部材61と、後述する可視部210より視認可能な通路部65を照射可能な発光部220とを備えている。
【００５３】
そして投入口導入路60は、メダル排出口66がスロットマシン1のメダル投入口10の側方移送通路12の端部と一直線上に配置されるよう設置される。この場合、メダル排出口66と側方移送通路12の端部とは必ずしも当接、合致する必要はなく、メダル排出口66から排出された遊技メダルが側方移送通路12に移動可能な間隙や高さの誤差があっても構わない。
（通路部65）
前記通路部65は、ベルト53から落下してきた遊技メダルを側方移送通路12へ案内するためのものである。
前記通路部65は、ベース部材62の手前側に位置する固定板251と、この固定板251の手前側に位置する可動可能な可動板250と、前記固定板251の下部に位置して、遊技メダル１枚の厚みよりも僅かに大きい幅だけ手前側に突出した突出部252とを有している。
【００５４】
すなわち、図１に示すように、固定板251と可動板250との間には、突出部252が挟まれて、遊技メダル１枚分の厚さよりやや大きい厚みを有し、遊技メダルの直径よりもやや大きい幅を有することにより、遊技メダルの移送が可能な通路部65が形成されているものである。この通路部65は、固定板251、可動板250及び突出部252により、遊技メダルが通過可能なメダル移送スリットを形成しているものである。
前記通路部65は、メダル受け口67からスロットマシン1側に略Ｌ字状に屈曲して、その端部がメダル排出口66となっている。すなわち、通路部65は、メダル排出部47から排出された遊技メダルをメダル受け口67から受け入れ、メダル排出口66から１枚ずつ、側方移送通路12を介して、スロットマシン1のメダル投入口10側に向かって排出するようになっている。
【００５５】
（固定板251）
前記固定板251は、ベース部材62の手前側に固定され、正面視で略Ｌ字状に形成されているものである。前記固定板251の上端部は、図１に示すように、下方から上方に向かって奥方向に湾曲する湾曲部62Aとなっており、この湾曲部62Aはメダル送り装置40のメダル排出部47と連通するメダル受け口67を形成する。
（可動板250）
前記可動板250は、固定板251の前面側に位置するものであり、通路部65の手前側の壁を形成するものである。この通路部65の可動板250は、全て透明樹脂から形成されている。この可動板250の側端の上端より僅か下（具体的には、可動板250の全高さのうち、上端から５分の１の位置）には、可動板250の回動可能に軸支する可動板回転軸253が形成されている。そして、この可動板回転軸253には、可動板250の上端を手前側に引っ張り、下端を奥側に引っ張る方向に付勢するバネが形成されている。常時は、可動板250の下端は、突出部252に当接しているため、可動板250は鉛直方向に立設した状態を保持する。そして、後述する詰まり解除ボタン260が押されると、詰まり解除ボタン260が可動板250の上部を奥側に押し込むことになり、可動板250は、可動板回転軸253を回転の中心として、上端を奥側、下端を手前側に回転する。これにより、可動板250と、固定板251との間の通路部65の通路内部で遊技メダルが詰まっているような場合、可動板250の下端と、固定板251との間の隙間が開いて、カバー部材61の詰まりメダル排出口68から外部へ排出される。
【００５６】
さらに、可動板250の手前側には、遊技メダルの通過を検知可能なメダル検知手段230としての通過センサー231が設けられている。
（メダル検知手段230（通過センサー231））
メダル検知手段230は、遊技メダルの接近や近傍の検出対象の有無を非接触で検出する近接スイッチ（センサー）からなる通過センサー231であって、通路部65における遊技メダルの通過に伴う移動情報や、遊技メダルが移動せずに存在する存在情報を検知可能なものである。そして、この通過センサー231は、通過する遊技メダルを１枚毎に検知することができるものである。
【００５７】
ここで、通過センサー231は、近接スイッチとして、検出領域内に磁界を発生させる誘導形近接スイッチを使用しているが、特に、これに限定されるものではなく、他の種類の近接スイッチを使用しても良いものである。例えば、通過センサー231として、検出領域内に電界を発生させる静電容量形近接スイッチを使用しても良く、また、検出領域内で超音波を発生させる超音波形近接スイッチを使用しても良く、また、可視、不可視光線の反射又は遮光のいずれかにより遊技メダルを検出する光電形近接スイッチを使用しても良く、また、磁気検出素子と磁石の組み合わせにより、遊技メダルが接近したときの磁束変化を利用して検出する磁気形近接スイッチを使用しても良いものである。例えば、光電形近接スイッチを使用した場合は、光を発光する光センサー発光部と、この光センサー発光部から発光して固定板251側に取り付けた反射板（図示せず）に反射した光を受光する光センサー受光部とを備えているものである。可動板250と固定板251との間に遊技メダルが通過することにより或いは遊技メダルが詰まることにより、この光が遮断される状態を検知することができるものである。
【００５８】
また、通過センサー231は、上述したような検出対象である遊技メダルに直接、接触することなく検出することが可能な近接スイッチ（センサー）に限定されるものではなく、リミットスイッチ等の遊技メダルと直接、接触することによって検出する接触式検出方式の接触式センサーを使用することもできる。
ここで、通過センサー231は、特に図示しないが、通路部65の通路幅の中心からやや幅方向にずれた位置に設けてあるので、円形の遊技メダルが複数枚、連続した状態で通過しても通過センサー231の検知信号は必ず一定の波形を繰り返すものとなる。従って、メダル貸出機2の制御部においてこの波形を監視することにより、メダル移送の異常を検知することができる。例えば、通過センサー231が遊技メダルを検知し続けている場合には、通路部65の内部で遊技メダルが詰まっていることが想定される。このような場合には、詰まり解除ボタン260を押してメダル詰まりを解消することを促す警報などを行うと好適である。
【００５９】
一方、通過センサー231が遊技メダルを一定時間以上検出しない場合には、投入された遊技メダルをすべて送り終えたか、あるいは搬送装置50の内部などでメダル詰まりが発生しているかにより、メダル送り装置40が遊技メダルを送り出していない場合、又は可動板250が可動しており通過センサー231の検出範囲から外れた場合の、いずれかの場合が想定される。そこで、このような場合には、搬送装置50の駆動モータ55の駆動を停止させたり、或いはベルト53の回転を逆転させるように設定されている。そして、そのようなときにベルト作動スイッチ273がＯＮとなっても駆動モータ55を駆動させないように制御しているものである。具体的には、駆動制御手段280により、ベルト53が回転駆動しているにもかかわらずメダル検知手段230がベルト53により移送された遊技メダルを所定時間（１０秒間）検知しないときには、ベルト53の作動を停止させるものである。
【００６０】
（突出部252）
前記突出部は、通路部65の底を形成し、この突出部252の上を可動板250と固定板251とに挟まれた遊技メダルが、側方移送通路12へ向かって転がっていくように形成されている。
（カバー部材61）
前記カバー部材61は、カバー部材61の下部のヒンジ63を中心として回転可能であるとともに通路部65の前面を覆うものである。
前記ヒンジ63は、カバー部材61と、ベース部材62とを回動可能に軸支可能なものである。カバー部材61及びベース部材62の両者が開いてしまうことがないように、カバー部材61をベース部材62側に係止する係止手段290を備えている。この係止手段290は、図７に示すように、カバー部材61の上部裏側に設けたアンカー爪状の係止部291と、投入口導入路60の上方の本体カバー30の下面側に位置して、係止部291のアンカー爪状の部分が係止可能な非係止部292とから形成されている。なお、この係止部291は、図６に示すように、幅方向の中央付近に開口する差し込み片開口部294が形成されている。そして、この係止部291は、軟質樹脂から形成されてあり、弾性変形可能に形成されているものである。
【００６１】
前記カバー部材61の後述する詰まり解除ボタン260の上には、図３に示すように、表裏に開口して、上述した係止手段290の係止状態を解除するための係止解除孔293が形成されている。この係止解除孔293に、帯板状の例えば鍵や棒状等のドライバー等の差し込み片を押し込むことにより、この差し込み片が上述した差し込み片開口部294の上面を下方に向かって押し込む。これにより、押し込まれた差し込み片が、係止部291を下方に向かって弾性変形させて、アンカー爪状の係止部291が、非係止部292から外れる。結果として、係止手段290の係止状態を解除することができる。
前記カバー部材61は、通路部65を遊技者側から視認可能な可視部210を備えている。この可視部210は、カバー部材61の表裏に貫通する複数の長孔スリット状の貫通孔であって、外部からカバー部材61の奥の通路部65を覗けるように形成されている。図９に示すように、カバー部材61の可視部210の位置と形状とを、通路部65の外観正面図に重ねて描いているものからも明らかなように、この可視部210の長孔スリット状の長尺方向は、通路部65の遊技メダルの移動方向に沿って形成されている。これにより、遊技メダルの移動を視線で追うことができる。
【００６２】
そして、カバー部材61の上部には、可動板250を可動させるための詰まり解除ボタン260が形成されている。
そして、カバー部材61の下部には、下方に向かって開口する詰まりメダル排出口68が形成されている。この詰まりメダル排出口68は、詰まり解除ボタン260押下により可動板250を可動させて、可動板250と固定板251との間に詰まっていた遊技メダルを外部に排出するために開口しているものである。
（詰まり解除ボタン260）
前記詰まり解除ボタン260は、遊技メダルが通路部65で詰まったときに、可動板250の上部を押して可動板250を回動させて、通路部65内部に詰まった遊技メダルを下の詰まりメダル排出口68から排出させるためのものである。
【００６３】
（発光部220）
前記発光部220は、投入口導入路60の内部に位置して、図９に示すように、可視部210より視認可能な通路部65を照射可能な位置に形成されている。この発光部220は、図９に示すように、ベース部材62に固定されたＬＥＤからなるものであって、赤色と、青色との２色の発光が可能なものである。そして、移送部200の作動時に発光部220を青色に発光させ、その発光を可視部210から可視可能に形成してあるものである。そして、可視部210からは、通路部65を通過する遊技メダルを遊技者側から可視可能としたものである。これにより、遊技者は、カバー部材61で覆われた内部にある通路部65を通過する遊技メダルを明るい状態ではっきりと見ることができる。
【００６４】
前記発光部220は、メダル検知手段によりメダル詰まりが検知された場合、メダル詰まりを検知していない正常作動時の発光色とは、異なる発光色で発光させるように形成されている。具体的には、通過センサー231の近接スイッチが、遊技メダルの移動を検知した場合は、遊技メダルが詰まることなく、正常に通過している場合であって、発光部220は、青色で発光するように形成されている。そして、通過センサー231の近接スイッチが、遊技メダルの存在する状態が連続して続いていることを検知した場合には、遊技メダルが何らかの不具合により通過センサー231の箇所で詰まっている場合であって、発光部220は、赤色で発光するように形成されている。
【００６５】
（閉塞手段300）
前記閉塞手段300は、図１、図１１及び図１２に示すように、受け入れ投入部48を閉塞して遊技メダルの受け入れを拒絶するためのものである。前記閉塞手段300は、スロットマシン1の精算スイッチ400が操作された場合、光通信としての後述する光伝達手段150を介して信号が伝達されて、一括投入装置3の受け入れ投入部48を閉塞することができるものである。この閉塞手段300は、駆動制御手段280からの制御信号により作動するように設定されている。駆動制御手段280は、現在の状態が、精算するための払い出し中の状態であると判断した場合に、閉塞手段300を閉じる状態に作動させるものである。
【００６６】
この閉塞手段300は、精算の払い出し中に、受け入れ投入部48を閉じた状態にして、遊技者が誤って、遊技開始の条件としての遊技メダルを受け入れ投入部48へ投入することを防止するためのものである。
具体的には、この閉塞手段300は、メダル送り装置40の上部の受け入れ投入部48に隣接する本体カバー30に設けられているものである。そして、この閉塞手段300は、本体カバー30の一括投入開口31を塞ぐと同時に、その一括投入開口31の下に通じる受け入れ投入部48を塞ぐことができるように形成されている。閉塞手段300は、受け入れ投入部48に隣接する本体カバー30に形成した円柱状の閉塞ソレノイド311と、この閉塞ソレノイド311から制御信号の入力により前後方向に進退する棒状の閉塞進退棒312と、この閉塞進退棒312の奥側に固定されて、受け入れ投入部48の開口部の形状に整合する四角板状の閉塞シャッター310とを備えている。
【００６７】
図１１に示すように、閉塞手段300が作動していない場合は、閉塞進退棒312は、閉塞ソレノイド311の内部に入り込んだ状態となり、閉塞シャッター310も、一括投入開口31及び受け入れ投入部48から外れた様態となる。かかる場合は、受け入れ投入部48は、開放状態となり、遊技メダルの投入が可能な状態となるものである。一方、図１２に示すように、閉塞手段300が作動している場合は、閉塞進退棒312は、閉塞ソレノイド311から奥側に向かって突出した状態となり、閉塞シャッター310は、一括投入開口31及び受け入れ投入部48の全面を覆う状態となる。かかる場合は、受け入れ投入部48は、閉塞状態となり、遊技メダルの投入が不可能な状態となるものである。これにより、精算スイッチ400が操作されて、精算中に、誤って受け入れ投入部48から遊技メダルの投入が行われることを回避することができる。
【００６８】
（駆動制御手段280）
前記駆動制御手段280は、ベルト作動スイッチ273の操作に基づいて、一括投入装置3の移送部200のベルト53の回転駆動や、排出機構80の開閉孔85の開閉や、閉塞手段300等を制御するためのものである。この駆動制御手段280は、その内部に配置した所定のタイマー機構や、判断制御回路の入出力結果に基づいて作動可能なものであり、また、遊技者によるベルト作動スイッチ273としての長方形状接触センサー275への接触によって、移送部200のベルト53を作動可能にしているものである。
更に、駆動制御手段280は、紙幣センサー24からの紙幣検知信号の入力を契機として、移送部200のベルト53による移送を開始するように形成されている。すなわち、紙幣センサー24からの紙幣検知信号が入力されると、駆動制御手段280は、移送部200のベルト53の回転駆動を開始するように形成されている。
【００６９】
（光伝達手段150）
上記光伝達手段150は、スロットマシン1と、メダル貸出機2との間の双方の信号伝達を可能にするものである。
この光伝達手段150は、図１５に示すように、スロットマシン1の右側側面近傍と、メダル貸出機2の左側側面近傍との間に形成されている。図１５に示すものは、スロットマシン1側からメダル貸出機2側へ信号を伝達するためのものであるが、図示していないが、図１５とは逆に、メダル貸出機2側に発光側を設け、スロットマシン1側に受光側を設けているものを有しているものである。それらは左右対称の関係にあるため、図１５に示すものだけ説明して、もう一方の方は説明を省略する。
【００７０】
前記光伝達手段150は、スロットマシン1のメダル貸出機2側の側面近傍に位置して、所定の制御信号に基づいて点灯する伝達ＬＥＤ151と、メダル貸出機2のスロットマシン1側の側面近傍の伝達ＬＥＤ151に整合する位置に配置されて、伝達ＬＥＤ151の点灯の有無を検知可能な光センサー152とを備えている。なお、伝達ＬＥＤ151は、発光ダイオードであるが、大容量の光通信が可能な半導体レーザーの出力が可能なレーザーダイオードを使用しても良い。また、伝達ＬＥＤ151は、点灯及び消灯が可能なランプを使用しても良い。
前記伝達ＬＥＤ151は、スロットマシン1のメダル貸出機2側の側面より僅かに内部の角部近傍に形成されているものであって、制御信号が入力された場合に、点灯するような配線が施されている。そして、この伝達ＬＥＤ151は、図１５に示すように、全体形状が略Ｌ字の光案内路153の角に配置されているものである。前記光案内路153は、前面側に向かって筒状に開口する報知用光案内路154と、側面側に向かって筒状に開口するＬＥＤ側伝達用光案内路155とからなり、この報知用光案内路154及びＬＥＤ側伝達用光案内路155が直交することにより全体形状が略Ｌ字状に形成されているものである。そして、この報知用光案内路154の奥側であり、ＬＥＤ側伝達用光案内路155の奥側でもある光案内路153の角部に伝達ＬＥＤ151が配置されている。すなわち、伝達ＬＥＤ151が点灯した場合は、報知用光案内路154を通して、前面側へ伝達ＬＥＤ151の点灯した光が届き、また、ＬＥＤ側伝達用光案内路155を通して、メダル貸出機2の側面側へ伝達ＬＥＤ151の点灯した光が届くように形成されている。なお、報知用光案内路154の前面側の端部には、その開口する部分を塞ぐ透明のガラスからなる前面側ガラス157がはめこまれている。そして、この前面側ガラス157により伝達ＬＥＤ151が発光中の状態を遊技者が確認することができる精算中報知部160を形成しているものである。すなわち、スロットマシン1側の前面側ガラス157から光が確認することができる場合は、貸出精算信号が出力中を意味し、遊技者がその状態を確認することができるように形成されている。また、ＬＥＤ側伝達用光案内路155の側面側の端部には、その開口する部分を塞ぐ透明のガラスからなるＬＥＤ側ガラス158がはめこまれている。
【００７１】
前記光センサー152は、図１５に示すように、メダル貸出機2のスロットマシン1側の側面より僅かに内部の角部近傍に形成されているものである。そして、この光センサー152は、伝達ＬＥＤ151の点灯した光を検知して、当該光信号を駆動制御手段280へ送出することができるように形成されている。そして、この光センサー152は、図１５に示すように、全体形状が筒状のセンサー側伝達用光案内路156の奥側端部に配置されている。そして、このセンサー側伝達用光案内路156の外側端部には、その開口する部分を塞ぐ透明のガラスからなるセンサー側ガラス159がはめ込まれている。そして、このセンサー側伝達用光案内路156の中心軸と、ＬＥＤ側伝達用光案内路155の中心軸とが、同一線上に配置するように直線上に配置されているものである。すなわち、伝達ＬＥＤ151の点灯した光が、ＬＥＤ側伝達用光案内路155及びセンサー側伝達用光案内路156を通って、真っ直ぐ光センサー152に届くことができるように形成されている。
【００７２】
光伝達手段150が、スロットマシン1及びメダル貸出機2間の双方向の光通信を可能にすることができる。このため、スロットマシン1と、メダル貸出機2との間に、かかる情報伝達を行うための電気信号を送出するためのケーブル等を設ける必要がない。これにより、遊技ホールにおけるスロットマシン1と、メダル貸出機2との設置作業を、かかるケーブルの接続作業等を不要にして、簡単なものにすることができる。また、スロットマシン1と、メダル貸出機2との交換時期が異なるような場合にも、上述した情報伝達のために両者を繋ぐケーブル等の取り外し作業等が不要となるため、交換作業を簡単なものにすることができる。
【００７３】
また、光伝達手段150の伝達ＬＥＤ151と、光センサー152とは、それぞれスロットマシン1と、メダル貸出機2とが適正な位置に配置されて場合に、互いに整合する位置に設けてあるため、スロットマシン1と、メダル貸出機2との設置位置がずれているような場合、伝達ＬＥＤ151の光が、光センサー152に届かない。このため、かかる光伝達手段150を用いて、スロットマシン1と、メダル貸出機2との設置位置の確認をすることができて、両者の位置決めを容易なものにすることができる。
なお、上述した光伝達手段150等を使用せずに、スロットマシン1からの電気信号を送出可能なケーブルを用いて、メダル貸出機2へ直接、コネクター等を介して接続して、伝達するようにしても良いものである。
【００７４】
（遊技メダルの移送）
次に、上記構成を有する遊技メダルの一括投入システム7における遊技メダルの移送過程を、説明する。
遊技者がベルト作動スイッチ273を触ると、ベルト53が回転駆動を開始する。その際、遊技者が手をベルト作動スイッチ273から離すと、ベルト53の回転駆動は終了する。しかし、予め定めた所定時間（１０秒）以上、ベルト作動スイッチ273を触り続けると、連続投入の状態と判断され、駆動を継続させる旨の所定の信号を発生させる。この駆動を継続させる信号が一括投入装置3へ入力されると、遊技者が手をベルト作動スイッチ273から離してもベルト53は継続して回転駆動を続ける。
【００７５】
そして、ベルト53が移動開始すると、ベルト53の後方部上面に乗っている遊技メダルが前方に移動し、その上方に貯まっているメダルも引きずられて、移動調整弁43の下方を潜ってメダル戻り部45に移動する。ここで、移動調整弁43は、ストッパー43Cに当接することにより、前方（メダル戻り部側）には回動しないので、メダル貯め部44の上部に貯留されている遊技メダルが、一気にメダル戻り部45に雪崩れ込むのを防ぐことができる。
ベルト53により前方に移送された遊技メダルのうち、ベルト53の上面に乗っている遊技メダルは、ベルト53と逆転ローラー52の下面との間の送出間隙54をすり抜けて、１枚ずつ、メダル排出部47へと移送される。一方、ベルト53の上方に重なっている遊技メダルは、逆転ローラー52と接触することにより、逆転ローラー52に設けられた撹拌溝58に引っかかり、上方後部のメダル戻り部45に蹴り戻される。逆転ローラー52は、ローラー51よりも高速回転しているので、効率よく遊技メダルを蹴り出すことができる。
【００７６】
ここで、メダル戻り部45に滞留する遊技メダルの量が多いと、逆転ローラー52によって後方に蹴り出すのに支障をきたし、送出間隙54でメダル詰まりが発生するおそれがある。しかし、移動調整弁43は、後方（メダル貯め部側）に回動可能に取り付けられているので、メダル戻り部45内の遊技メダルはメダル貯め部44に逆流し、メダル戻り部45の上方に空間が形成される。これにより、逆転ローラー52による遊技メダルの蹴り出しがスムーズに行われる。
移送部200（搬送装置50）から送り出された遊技メダルは、メダル排出部47から排出され、投入口導入路60の湾曲部62Aに誘導されつつメダル受け口67に入り、通路部65を通ってメダル排出口66から排出される。メダル排出口66はスロットマシン1のメダル投入口10の側方移送通路12と位置あわせされているので、遊技メダルはスロットマシン1の側方移送通路12を通って、スロットマシン1のメダル投入口10の上部投入開口11に投入される。
【００７７】
また、一括投入装置3には、移動調整弁43が設けてあるので、メダル送り装置40内部でのメダル詰まりを起こしにくく、メダル送り装置40から排出するときにメダル詰まりを起こした場合でも、詰まり解除ボタン260を押下して、可動板250を下方側に向かって開くことにより容易にメダル詰まりを解消できる。そして、排出機構80とメダル取り出し皿90を設けてあるので、メダル送り装置40内の残留メダルや異物なども容易に取り出すことができる。さらに、搬送装置の逆転ローラー52には撹拌溝58が形成されているので、搬送装置50内部に滞留している遊技メダルを効率よく送り出すことができ、メダル詰まりを防止することができるのである。なお、本形態では、メダル貸出機2のメダル貯め部44の遊技メダルは、キャンセル通路49を介してメダル受け皿90へ排出しているが、上述したような移送部200を介して、スロットマシン1のメダル投入口10へ投入して、下皿15へ排出するようにしても良いものである。かかる場合には、上述したベルト作動スイッチ273の操作の代わりに貸出精算信号に基づいて上述したような遊技メダルの移送が行われるものである。
【００７８】
（遊技メダルの一括投入システム7の精算動作）
本形態では、精算スイッチ400が押下されると、スロットマシン1は、クレジット貯留手段420にクレジットメダルとして貯留されている遊技メダルの枚数だけ、メダルタンク5から下皿15へ払い出す。そして、メダル貸出機2は、スロットマシン1のクレジット貯留手段420に貯留している遊技メダルの払い出しの終了後に、メダル貯め部44の遊技メダルを開閉板82の開放によって、キャンセル通路49を介して、メダル受け皿90へ落下させることにより、遊技者へ払い出す。スロットマシン1の精算スイッチ400が押下されるとクレジット貯留手段420のクレジットメダルの払い出しが行われ、そのクレジットメダルの払い出し終了後、貸出精算信号制御手段510からメダル貸出機2へ貸出精算信号が出力されるように形成されている。そして、メダル貸出機2は、貸出精算信号が入力されると、ベルト53を逆回転方向（図１の黒矢印回転方向と逆方向の回転）に回転するとともに、排出機構80のソレノイド81により開閉板82を開く方向に作動させて、開閉孔85を開放状態にする。これにより、ベルト53上に残っていた遊技メダルは、開閉孔85から落下し、キャンセル通路49を介して、下のメダル受け皿90へ払い出される。結果として、メダル貯め部44に残留していた遊技メダルを、遊技者に払い出して、精算することができるものである。
【００７９】
一括投入システム7の精算動作について、図１３及び図１４のフローで説明する。
図１３により、遊技メダルの一括投入システム7の精算処理におけるスロットマシン1の動作について説明する。
先ず、ステップ１２１において、スロットマシン1の精算スイッチ400が押下されたか否かが判定される。そして、精算スイッチ400が押下されていると判定された場合、次のステップ１２２に進む。
ステップ１２２において、クレジット貯留手段420により、クレジットとして残っている枚数の遊技メダルが、スロットマシン1の下皿15への払い出しが開始される。そして、次のステップ１２３に進む。
【００８０】
ステップ１２３において、クレジット貯留手段420によるクレジットの払い出しが終了したか否かが判定される。すなわち、クレジットされている全ての遊技メダルが下皿15へ払い出されたか否かが判定されるものである。そして、クレジット貯留手段420によるクレジットの払い出しが終了していると判定された場合、次のステップ１２４に進む。
ステップ１２４において、貸出精算信号制御手段510により、メダル貯め部44の遊技メダルを遊技者に払い出すための貸出精算信号が、メダル貸出機2へ伝達手段56を介して出力される。そして、次のステップ１２５に進む。
ステップ１２５において、メダルセレクター6のセンサーにより遊技メダルの通過が検知されたか否かが判定される。そして、メダルセレクター6のセンサーにより遊技メダルの通過が検知されていないと判定された場合、次のステップ１２６に進む。
【００８１】
なお、ここで、ステップ１２５において、メダルセレクター6のセンサーで遊技メダルを検知するのではなく、メダル貸出機2のメダル検知手段230により遊技メダルの通過を検知して、伝達手段56によりスロットマシン1へ、メダル検知有りの信号を出力しても良いものである。
ステップ１２６において、最後の遊技メダルを検知してから５秒経過したか否かが判定される。そして、かかる５秒が経過していると判定された場合、次のステップ１２７に進む。
ステップ１２７において、貸出精算信号制御手段510により貸出精算信号の出力が停止される。そして、遊技メダルの一括投入システム7の精算処理におけるスロットマシン1の動作が終了する。
【００８２】
前記ステップ１２１において、精算スイッチ400が押下されていないと判定された場合、ステップ１２１の前に戻る。
前記ステップ１２３において、クレジット貯留手段420によるクレジットの払い出しが終了していないと判定された場合、ステップ１２３の前に戻る。
前記ステップ１２５において、メダルセレクター6のセンサーにより遊技メダルの通過が検知されていると判定された場合、ステップ１２４に戻る。
前記ステップ１２６において、最後の遊技メダルを検知してから、５秒が経過していないと判定された場合、ステップ１２５に戻る。
【００８３】
図１４により、遊技メダルの一括投入システム7の精算処理におけるメダル貸出機2の動作について説明する。
ステップ１４１において、図１３のステップ１２４で出力した貸出精算信号の入力が有ったかか否かが判定される。そして、かかる貸出精算信号の入力が有ると判定された場合は、次のステップ１４２に進む。
ステップ１４２において、移送部200のベルト53の逆方向（図１の黒矢印回転方向と逆回転方向）の回転駆動が開始される。それと同時に、ソレノイド81の駆動により開閉板82が開放動作を行い、開閉孔85が開放状態となる。そして、次のステップ１４３に進む。
【００８４】
ステップ１４３において、ステップ１２７に基づく貸出精算信号の入力が停止したか否かが判定される。そして、貸出精算信号の入力が停止していると判定された場合、次のステップ１４４に進む。
ステップ１４４において、移送部200のベルト53の回転駆動が終了する。そして、それと同時に、ソレノイド81に駆動により開閉板82が閉塞動作を行い、開閉孔85が閉塞状態となる。そして、遊技メダルの一括投入システム7の精算処理におけるメダル貸出機2の動作が終了する。
前記ステップ１４１において、かかる貸出精算信号の入力が無いと判定された場合は、ステップ１４１の前に戻る。
【００８５】
前記ステップ１４３において、貸出精算信号の入力が停止していないと判定された場合、ステップ１４３の前に戻る。
（作用）  貸出精算信号制御手段510は、精算スイッチ400が操作されたとき、貸出精算信号をメダル貸出機2へ出力する。そして、メダル貸出機2は、貸出精算信号制御手段510からの貸出精算信号を入力すると、ベルト53を駆動させて、メダル貯め部44の遊技メダルを遊技者に払い出す。これにより、遊技者が精算スイッチ400を操作して、遊技を中止する際、スロットマシン1内部に残っている遊技メダルを払い出して精算するとともに、メダル貸出機2の一括投入装置3のメダル貯め部44の内部に残っている遊技メダルも、遊技者に払い出して精算することができる。結果として、一括投入装置3内部に投入された遊技メダルが残った状態で遊技が終了されてしまうことを回避することができる。
【００８６】
本形態では、スロットマシン1のクレジット貯留手段420に貯留している遊技メダルの払い出しの終了後に、メダル貸出機2の払い出し精算処理を行う。すなわち、両方の払い出し処理を同時に行うのではなく、スロットマシン1の払い出しが終了してから、メダル貸出機2の払い出し処理を行っている。仮に、払い出し処理が両方同時に行われると、払い出し音が両方から発生するため、遊技者によっては、スロットマシン1側の払い出し音に邪魔されて、メダル貸出機2側の払い出し音に気づかない者がでてくる可能性がある。本形態では、スロットマシン1側の払い出しが終わって、次に、メダル貸出機2側の払い出しが開始されるため、遊技者は、払い出しがスロットマシン1からメダル貸出機2へ移行したことを、聴覚及び視覚により確実に知ることができる。結果として、メダル貸出機2側の払い出しを確実に気づかせることができて、メダル貸出機2側の払い出しが忘れられることを回避することができる。
【００８７】
また、メダル貸出機2の精算は、開閉板82を開放することにより、キャンセル通路49を介して、メダル受け皿90へ払い出す。すなわち、スロットマシン1の払い出し精算とは別ルートで精算処理を行うことにより、機器の損耗を分散させ、故障の防止を図ることができる。
（本発明の第１の形態）
本形態は、スロットマシン1のクレジットの払い出し終了後に、メダル貸出機2の残留メダルの払い出しを行っているが、その残留メダルを移送部200を介して、スロットマシン1のメダル投入口10へ投入し、一旦、クレジット貯留手段420に貯留するとともに、貯留した遊技メダルをキャンセルして下皿15へ払い出しているものである。
【００８８】
すなわち、本形態は、メダル貸出機2は、クレジット貯留手段420に貯留している遊技メダルの払い出しの終了後に、ベルト53を駆動させて、メダル貯め部44の遊技メダルを、移送部200を介して、メダル投入口10へ投入している。
そして、スロットマシン1は、かかるメダル投入口10から投入された遊技メダルを、クレジット貯留手段420へ貯留するとともに、その貯留した遊技メダルをクレジット貯留手段420からキャンセル（精算）して下皿15へ向かって遊技者に払い出すことを特徴とするものである。
なお、本形態では、本発明の理解を助けるための参考発明の第１の形態で説明した図１４のステップ１４２において、移送部200のベルト53の正回転方向（図１の黒矢印回転方向と同一回転方向）の回転駆動が開始される。その際、ソレノイド81は駆動せず開閉板82は閉塞状態を維持する。
【００８９】
また、ステップ１４４において、移送部200のベルト53の正回転方向の回転駆動が終了する。そして、開閉板82は、閉塞状態を継続したままの状態である。
これらの動作が本発明の理解を助けるための参考発明の第１の形態と異なるものであり、その他の構成及びフロー等は、本発明の理解を助けるための参考発明の第１の形態で説明したものと同様であるのでそれらの説明を省略する。
（作用）  本形態は、スロットマシン1のクレジット貯留手段420に貯留している遊技メダルの払い出しの終了後に、メダル貸出機2の払い出し精算処理を行う。すなわち、両方の払い出し処理を同時に行うのではなく、スロットマシン1の払い出しが終了してから、メダル貸出機2の払い出し処理を行っている。これは、スロットマシン1の払い出しが終了したタイミングで貸出精算信号を出力し、メダル貸出機2の払い出し処理を行わせるようにすれば良いものである。払い出し処理が両方同時に行われている場合、払い出し音が両方から発生するため、遊技者によっては、スロットマシン1側の払い出し音に邪魔されて、メダル貸出機2側の払い出し音に気づかない者がでてくる可能性がある。本発明においては、スロットマシン1側の払い出しが終わって、次に、メダル貸出機2側の払い出しが開始されるため、遊技者は、払い出しがスロットマシン1からメダル貸出機2へ移行したことを確実に知ることができる。これにより、メダル貸出機2側の払い出しを確実に気づかせることができて、メダル貸出機2側の払い出しが忘れられることを回避することができる。
【００９０】
本形態は、メダル貸出機2の一括投入装置3のメダル貯め部44に残留した遊技メダルを移送部200を介して、スロットマシン1のメダル投入口10へ投入して、クレジット貯留手段420へ貯留し、その貯留した遊技メダルをキャンセルして、下皿15へ向かって遊技者に払い出している。すなわち、スロットマシン1の精算スイッチ400を操作すると、スロットマシン1及びメダル貸出機2の内部に残留している全ての遊技メダルを、スロットマシン1のクレジット貯留手段420から下皿15へ払い出すことができる。これにより、払い出し処理を下皿15の一つに纏めることができ、遊技者は、メダル貸出機2側の払い出しに留意する必要がなく、確実に、全ての遊技メダルの精算を行うことができる。結果として、メダル貸出機2側の精算により払い出される遊技メダルを取り忘れてしまうようなことを回避することができる。
【００９１】
更に、メダル貸出機2の精算処理のタイミングを、スロットマシン1側の精算処理のタイミングとずらすことにより、スロットマシン1内に貯留した遊技メダルの払い出しとメダル貸出機2内に貯留した遊技メダルの払い出しとの合流によって詰まってしまうようなことを防止することができる。
（本発明の第２の形態）
本形態は、スロットマシン1のクレジットの払い出し終了後に、メダル貸出機2の残留メダルの払い出しを行っているが、その残留メダルを移送部200を介して、スロットマシン1のメダル投入口10へ投入して、メダルセレクター6のブロッカーでキャンセルして下皿15へ払い出しているものである。なお、ここで、ブロッカーは、ブロッカー作動中、メダルセレクター6に設けてあるもので、メダル投入口10から投入された遊技メダルを、クレジット貯留手段420へ入れることなく、直接、下皿15へ払い出すことができるものである。
【００９２】
すなわち、メダル貸出機2は、本発明の理解を助けるための参考発明の第１の形態と同様に、クレジット貯留手段420に貯留している遊技メダルの払い出しの終了後に、ベルト53を駆動させて、メダル貯め部44の遊技メダルを、移送部200を介して、メダル投入口10へ投入するものである。
そして、スロットマシン1は、かかるメダル投入口10から投入された遊技メダルを、クレジット貯留手段420へ案内することなく、メダルセレクター6のブロッカーによる遊技メダル移送中のキャンセルによって、下皿15に向かって遊技者に払い出すことを特徴とするものである。
なお、本形態では、本発明の理解を助けるための参考発明の第１の形態で説明した図１４のステップ１４２において、移送部200のベルト53の正回転方向（図１の黒矢印回転方向と同一回転方向）の回転駆動が開始される。その際、ソレノイド81は駆動せず開閉板82は閉塞状態を維持する。
【００９３】
また、ステップ１４４において、移送部200のベルト53の正回転方向の回転駆動が終了する。そして、開閉板82は、閉塞状態を継続したままの状態である。
そして、本形態では、スロットマシン1は、貸出精算信号が出力中は、メダルセレクター6のブロッカーがオン状態、すなわち、メダル投入口10からの遊技メダルをクレジット貯留手段420へ案内せずに、直接、下皿15へ払い出す状態に維持されるものである。
これらの動作が本発明の理解を助けるための参考発明の第１の形態と異なるものであり、その他の構成及びフロー等は、本発明の理解を助けるための参考発明の第１の形態で説明したものと同様であるのでそれらの説明を省略する。
（作用）  本形態は、スロットマシン1のクレジット貯留手段420に貯留している遊技メダルの払い出しの終了後に、メダル貸出機2の払い出し精算処理を行う。すなわち、両方の払い出し処理を同時に行うのではなく、スロットマシン1の払い出しが終了してから、メダル貸出機2の払い出し処理を行っている。払い出し処理が両方同時に行われている場合、払い出し音が両方から発生するため、遊技者によっては、スロットマシン1側の払い出し音に邪魔されて、メダル貸出機2側の払い出し音に気づかない者がでてくる可能性がある。本発明においては、スロットマシン1側の払い出しが終わって、次に、メダル貸出機2側の払い出しが開始されるため、遊技者は、払い出しがスロットマシン1からメダル貸出機2へ移行したことを確実に知ることができる。これにより、メダル貸出機2側の払い出しを確実に気づかせることができて、メダル貸出機2側の払い出しが忘れられることを回避することができる。
【００９４】
更に、本形態は、メダル貸出機2の一括投入装置3のメダル貯め部44に残留した遊技メダルを移送部200を介して、スロットマシン1のメダル投入口10へ投入して、そのメダル投入口10から投入された遊技メダルを、クレジット貯留手段420へ入れずに、メダルセレクター6のブロッカーによる遊技メダル移送中のキャンセルによって下皿15へ向かって遊技者に払い出している。すなわち、スロットマシン1の精算スイッチ400を操作すると、スロットマシン1及びメダル貸出機2の内部に残留している全ての遊技メダルを、スロットマシン1の下皿15へ払い出すことができる。これにより、払い出し先を一つに纏めることができ、遊技者は、メダル貸出機2側の払い出しに留意する必要がなく、確実に、全ての遊技メダルの精算を行うことができる。結果として、メダル貸出機2側の精算により払い出される遊技メダルを取り忘れてしまうようなことを回避することができる。
【００９５】
更に、メダル貸出機2の精算処理のタイミングを、スロットマシン1側の精算処理のタイミングとずらすことにより、スロットマシン1内に貯留した遊技メダルの払い出しとメダル貸出機2内に貯留した遊技メダルの払い出しとの合流によって詰まってしまうようなことを防止することができる。
更に、メダル貯め部44の遊技メダルを一旦、スロットマシン1内のクレジット貯留手段420に貯留させずに直接、遊技メダル移送中のキャンセルによって払い出すので、間違った数の遊技メダルを返却することが無く、処理的に簡略することができる。
（本発明の理解を助けるための参考発明の第２の形態）
本形態は、精算における払い出しのタイミングを、スロットマシン1とメダル貸出機2とで同時期に行うものであり、メダル貸出機2の残留遊技メダルを開閉孔85を開放して、メダル受け皿90へ払い出すものである。
【００９６】
すなわち、メダル貸出機2は、貸出精算信号が入力されたときには、スロットマシン1のクレジット貯留手段420に貯留している遊技メダルの払い出しとともに、メダル貯め部44の遊技メダルを開閉板82の開放によって、キャンセル通路49を介して、メダル受け皿90へ落下させることにより、遊技者へ払い出すようにしたものである。
図１６は、本発明の本発明の理解を助けるための参考発明の第２の形態であって、遊技メダルの一括投入システム7の精算処理におけるスロットマシン1の動作のフローを示すものである。
図１６により、遊技メダルの一括投入システム7の精算処理におけるスロットマシン1の動作について説明する。
【００９７】
先ず、ステップ２２１において、スロットマシン1の精算スイッチ400が押下されたか否かが判定される。そして、精算スイッチ400が押下されていると判定された場合、次のステップ２２２に進む。
ステップ２２２において、クレジット貯留手段420により、クレジットとして残っている枚数の遊技メダルが、スロットマシン1の下皿15への払い出しが開始される。それと同時に、貸出精算信号制御手段510により、貸出精算信号がメダル貸出機2へ出力される。そして、次のステップ２２３に進む。
ステップ２２３において、クレジット貯留手段420によるクレジットの払い出しが終了したか否かが判定される。すなわち、クレジットされている全ての遊技メダルが下皿15へ払い出されたか否かが判定されるものである。そして、クレジット貯留手段420によるクレジットの払い出しが終了していると判定された場合、次のステップ２２４に進む。
【００９８】
ステップ２２４において、メダルセレクター6のセンサーにより遊技メダルの通過が検知されたか否かが判定される。そして、メダルセレクター6のセンサーにより遊技メダルの通過が検知されていないと判定された場合、次のステップ２２５に進む。
なお、ここで、ステップ２２４において、メダルセレクター6のセンサーで遊技メダルを検知するのではなく、メダル貸出機2のメダル検知手段230により遊技メダルの通過を検知して、伝達手段56によりスロットマシン1へ、メダル検知有りの信号を出力しても良いものである。
ステップ２２５において、最後の遊技メダルを検知してから５秒経過したか否かが判定される。そして、かかる５秒が経過していると判定された場合、次のステップ２２６に進む。
【００９９】
ステップ２２６において、貸出精算信号制御手段510により貸出精算信号の出力が停止される。そして、遊技メダルの一括投入システム7の精算処理におけるスロットマシン1の動作が終了する。
前記ステップ２２１において、精算スイッチ400が押下されていないと判定された場合、ステップ２２１の前に戻る。
前記ステップ２２３において、クレジット貯留手段420によるクレジットの払い出しが終了していないと判定された場合、ステップ２２３の前に戻る。
前記ステップ２２４において、メダルセレクター6のセンサーにより遊技メダルの通過が検知されていると判定された場合、ステップ２２３の前に戻る。
【０１００】
前記ステップ２２５において、最後の遊技メダルを検知してから、５秒が経過していないと判定された場合、ステップ２２３の前に戻る。
これらの動作が本発明の理解を助けるための参考発明の第１の形態と異なるものであり、その他の構成及びフロー等は、本発明の理解を助けるための参考発明の第１の形態で説明したものと同様であるのでそれらの説明を省略する。
（作用）  本形態は、スロットマシン1のクレジット貯留手段420に貯留している遊技メダルの払い出し精算と同時に、一括投入装置3のメダル貯め部44内部に残っている遊技メダルの払い出し精算を行う。このように、スロットマシン1及びメダル貸出機2の両方同時に精算処理を行うことにより、精算をスロットマシン1及びメダル貸出機2の片方ずつ処理するようなものと比較して、精算処理の時間を短縮することができる。
【０１０１】
また、メダル貸出機2の精算は、開閉板82を開放することにより、キャンセル通路49を介して、メダル受け皿90へ払い出す。すなわち、スロットマシン1の払い出し精算とは別ルートで精算処理を行うことにより、機器の損耗を分散させて故障を回避するとともに、精算処理を速くして、精算処理時間の短縮化を図ることができる。
すなわち、精算処理を別ルートで、且つ同時に行うことができるため、故障を回避するとともに精算処理を速くすることができるものである。
（本発明の第３の形態）
本形態は、精算における払い出しのタイミングを、本発明の理解を助けるための参考発明の第２の形態と同様に、スロットマシン1とメダル貸出機2とで同時期に行うものである。そして、メダル貸出機2の残留遊技メダルを、移送部200を介して、メダル投入口10へ投入し、投入した遊技メダルをクレジット貯留手段420へ貯留して、その貯留した遊技メダルをクレジット貯留手段420から下皿15へ払い出すものである。
【０１０２】
すなわち、メダル貸出機2は、貸出精算信号が入力されたときには、スロットマシン1のクレジット貯留手段420に貯留している遊技メダルの払い出しとともに、ベルト53を駆動させて、メダル貯め部44の遊技メダルを、移送部200を介して、メダル投入口10へ投入する。
スロットマシン1は、かかるメダル投入口10から投入された遊技メダルを、クレジット貯留手段420へ貯留するとともに、その貯留した遊技メダルをキャンセルして遊技者に払い出すことを特徴とするものである。
本形態のスロットマシン1の精算のフローは、本発明の理解を助けるための参考発明の第２の形態で説明した図１６と同一のものである。そして、本形態のメダル貸出機2の精算のフローは、本発明の理解を助けるための参考発明の第１の形態で説明した図１４のステップ１４２において、移送部200のベルト53の正回転方向（図１の黒矢印回転方向と同一回転方向）の回転駆動が開始される。その際、ソレノイド81は駆動せず開閉板82は閉塞状態を維持する。
【０１０３】
また、ステップ１４４において、移送部200のベルト53の正回転方向の回転駆動が終了する。そして、開閉板82は、閉塞状態を継続したままの状態である。
これらの動作が本発明の理解を助けるための参考発明の第１の形態と異なるものであり、その他の構成及びフロー等は、本発明の理解を助けるための参考発明の第１の形態で説明したものと同様であるのでそれらの説明を省略する。
（作用）  本形態は、スロットマシン1及びメダル貸出機2の両方同時に精算処理を行うことにより、精算をスロットマシン1及びメダル貸出機2の片方ずつ処理するようなものと比較して、精算処理の時間を短縮することができる。
本形態は、スロットマシン1の精算スイッチ400を操作すると、スロットマシン1及びメダル貸出機2の内部に残留している全ての遊技メダルを、スロットマシン1のクレジット貯留手段420から下皿15へ払い出すことができる。これにより、払い出し処理の遊技メダルを下皿15の一箇所に纏めることができ、遊技者は、メダル貸出機2側の払い出しに留意する必要がなく、確実に、全ての遊技メダルの精算を行うことができる。結果として、メダル貸出機2側の精算により払い出される遊技メダルを取り忘れてしまうようなことを回避することができる。
【０１０４】
（本発明の第４の形態）
本形態は、精算における払い出しのタイミングを、本発明の理解を助けるための参考発明の第２の形態と同様に、スロットマシン1とメダル貸出機2とで同時期に行うものである。そして、メダル貸出機2の精算は、残留メダルを移送部200を介して、スロットマシン1のメダル投入口10へ投入して、メダルセレクター6のブロッカーでキャンセルして、クレジット貯留手段420を通さずに、下皿15へ直接、払い出しているものである。
すなわち、メダル貸出機2は、貸出精算信号が入力されたときには、スロットマシン1のクレジット貯留手段420に貯留している遊技メダルの払い出しとともに、ベルト53を駆動させて、メダル貯め部44の遊技メダルを、移送部200を介して、メダル投入口10へ投入している。そして、スロットマシン1は、かかるメダル投入口10から投入された遊技メダルを、メダルセレクター6のブロッカーによる遊技メダル移送中のキャンセルによって、クレジット貯留手段420を通さずに下皿15に向かって遊技者に払い出すことを特徴とするものである。
【０１０５】
本形態のスロットマシン1の精算のフローは、本発明の理解を助けるための参考発明の第２の形態で説明した図１６と同一のものである。そして、本形態のメダル貸出機2の精算のフローは、本発明の理解を助けるための参考発明の第１の形態で説明した図１４のステップ１４２において、移送部200のベルト53の正回転方向（図１の黒矢印回転方向と同一回転方向）の回転駆動が開始される。その際、ソレノイド81は駆動せず開閉板82は閉塞状態を維持する。
また、ステップ１４４において、移送部200のベルト53の正回転方向の回転駆動が終了する。そして、開閉板82は、閉塞状態を継続したままの状態である。
これらの動作が本発明の理解を助けるための参考発明の第１の形態と異なるものであり、その他の構成及びフロー等は、本発明の理解を助けるための参考発明の第１の形態で説明したものと同様であるのでそれらの説明を省略する。
【０１０６】
（作用）
本形態は、スロットマシン1及びメダル貸出機2の両方同時に精算処理を行うことにより、精算をスロットマシン1及びメダル貸出機2の片方ずつ処理するようなものと比較して、精算処理の時間を短縮することができる。
更に、本形態は、スロットマシン1の精算スイッチ400を操作すると、スロットマシン1及びメダル貸出機2の内部に残留している全ての遊技メダルを、スロットマシン1の下皿15へ払い出すことができる。これにより、払い出し先を下皿15の一箇所に纏めることができ、遊技者は、メダル貸出機2側の払い出しに留意する必要がなく、確実に、全ての遊技メダルの精算を行うことができる。結果として、メダル貸出機2側の精算により払い出される遊技メダルを取り忘れてしまうようなことを回避することができる。
【０１０７】
更に、投入された遊技メダルは、遊技メダル移送中のキャンセルによって払い出すため、クレジット貯留手段420に貯留されている遊技メダルの払い出しルートと、投入された遊技メダルのキャンセルによる払い出しルートとの２つの異なる払い出しルートを使用することができるため、払い出し処理を同時並行に処理することができ、処理時間を短縮することができる。
更に、メダル貯め部44の遊技メダルを一旦、スロットマシン1内のクレジット貯留手段420に貯留させずに直接、遊技メダル移送中のキャンセルによって払い出すので、間違った数の遊技メダルを返却することが無く、処理的に簡略することができる。
【図面の簡単な説明】
【０１０８】
【図１】本発明の理解を助けるための参考発明の第１の形態であって、一括投入装置を示す縦断面図である。
【図２】本発明の理解を助けるための参考発明の第１の形態であって、スロットマシン及びメダル貸出機を示す外観斜視図である。
【図３】本発明の理解を助けるための参考発明の第１の形態であって、一括投入装置及びメダル投入口を示す拡大斜視図である。
【図４】本発明の理解を助けるための参考発明の第１の形態であって、メダル送り装置を示す外観斜視図である。
【図５】本発明の理解を助けるための参考発明の第１の形態であって、メダル送り装置を示す縦断面斜視図である。
【図６】本発明の理解を助けるための参考発明の第１の形態であって、メダル送り装置のカバー部材を開いた状態を示す部分分解斜視図である。
【図７】本発明の理解を助けるための参考発明の第１の形態であって、メダル送り装置のカバー部材を開いた状態を示す部分縦断面図である。
【図８】本発明の理解を助けるための参考発明の第１の形態であって、メダル送り装置の開閉板を開いた状態を示す部分縦断面図である。
【図９】本発明の理解を助けるための参考発明の第１の形態であって、通路部を示す外観正面図である。
【図１０】本発明の理解を助けるための参考発明の第１の形態であって、受け入れ投入部を示す外観斜視図である。
【図１１】本発明の理解を助けるための参考発明の第１の形態であって、メダル送り装置の閉塞手段を開いた状態を示す縦断面図である。
【図１２】本発明の理解を助けるための参考発明の第１の形態であって、メダル送り装置の閉塞手段を閉じた状態を示す縦断面図である。
【図１３】本発明の理解を助けるための参考発明の第１の形態であって、スロットマシンの精算に関する制御を示すフローである。
【図１４】本発明の理解を助けるための参考発明の第１の形態であって、メダル貸出機の精算に関する制御を示すフローである。
【図１５】本発明の理解を助けるための参考発明の第１の形態であって、光通信を示す概略断面図である。
【図１６】本発明の理解を助けるための参考発明の第２の形態であって、スロットマシンの精算に関する制御を示すフローである。
【符号の説明】
【０１０９】
1  スロットマシン                      2  メダル貸出機
3  一括投入装置                        4  貸出投入口
5  メダルタンク                        6  メダルセレクター
7  一括投入システム                    8  ベットスイッチ
10  メダル投入口                        11  上部投入開口
12  側方移送通路                        13  前扉
14  図柄表示窓                          15  下皿
16  操作部                              20  外箱
21  紙幣投入口                          22  紙幣カウンター
23  貸し出しメダル払い出し装置          24  紙幣センサー
25  貸出貯留部                          26  貸し出しメダルタンク
27  貸し出し円板                        30  本体カバー
31  一括投入開口                        32  張り出し部
40  メダル送り装置                      41  本体ブロック
42  払い出し通路                        43  移動調整弁
43A  回動板                            43B  支持部
43C  ストッパー                        44  メダル貯め部
45  メダル戻り部                        46  ピン
47  メダル排出部                        48  受け入れ投入部
49  キャンセル通路                      50  搬送装置
51  ローラー                            51A  手前側ローラー
51B  奥側ローラー                      52  逆転ローラー
53  ベルト                              54  送出間隙
55  駆動モータ                          56  伝達手段
58  撹拌溝                              60  投入口導入路
61  カバー部材                          62  ベース部材
62A  湾曲部                            63  ヒンジ
65  通路部                              66  メダル排出口
67  メダル受け口                        68  詰まりメダル排出口
80  排出機構                            81  ソレノイド
82  開閉板                              83  可動軸
84  固定軸                              85  開閉孔
90  メダル受け皿                        93  排出収納部
95  皿用ヒンジ                          100  仕切棒
150  光伝達手段                        151  伝達ＬＥＤ
152  光センサー                        153  光案内路
154  報知用光案内路                    155  ＬＥＤ側伝達用光案内路
156  センサー側伝達用光案内路          157  前面側ガラス
158  ＬＥＤ側ガラス                    159  センサー側ガラス
160  精算中報知部                      200  移送部
210  可視部                            220  発光部
230  メダル検知手段                    231  通過センサー
240  回転表示部                        241  青色発光部
242  赤色発光部                        250  可動板
251  固定板                            252  突出部
253  可動板回転軸                      260  詰まり解除ボタン
271  落下孔                            272  立設部
273  ベルト作動スイッチ                274  Ｕ字状接触センサー
275  長方形状接触センサー              280  駆動制御手段
290  係止手段                          291  係止部
292  非係止部                          293  係止解除孔
294  差し込み片開口部                  300  閉塞手段
310  閉塞シャッター                    311  閉塞ソレノイド
312  閉塞進退棒                        400  精算スイッチ
420  クレジット貯留手段                510  貸出精算信号制御手段
【図１】
0004597074.tif 000002
【図２】
0004597074.tif 000003
【図３】
0004597074.tif 000004
【図４】
0004597074.tif 000005
【図５】
0004597074.tif 000006
【図６】
0004597074.tif 000007
【図７】
0004597074.tif 000008
【図８】
0004597074.tif 000009
【図９】
0004597074.tif 000010
【図１０】
0004597074.tif 000011
【図１１】
0004597074.tif 000012
【図１２】
0004597074.tif 000013
【図１３】
0004597074.tif 000014
【図１４】
0004597074.tif 000015
【図１５】
0004597074.tif 000016
【図１６】
0004597074.tif 000017